(57)【要約】【課題】オルソケラトロジーレンズの装着位置の適否判定を可能にする。【解決手段】例示的態様に係る眼科装置は、特定部位検出部と、角膜形状測定部と、特徴点設定部と、評価部とを含む。特定部位検出部は、オルソケラトロジーレンズを外した後の眼の特定部位を検出する。角膜形状測定部は、当該眼の角膜形状を測定する。特徴点設定部は、角膜形状測定部により取得された角膜形状データから特徴点を設定する。評価部は、特定部位検出部により検出された特定部位と、特徴点設定部により設定された特徴点とに基づいて、当該眼に対する当該オルソケラトロジーレンズの装着状態の評価を実行する。【選択図】図１
2020151099.tif 000002
【特許請求の範囲】
【請求項１】
オルソケラトロジーレンズを外した後の眼の特定部位を検出する特定部位検出部と、
前記眼の角膜形状を測定する角膜形状測定部と、
前記角膜形状測定部により取得された角膜形状データから特徴点を設定する特徴点設定部と、
前記特定部位と前記特徴点とに基づいて前記眼に対する前記オルソケラトロジーレンズの装着状態の評価を実行する評価部と
を含む眼科装置。
【請求項２】
前記特徴点設定部は、中心対称な式による前記角膜形状データの近似式に基づき特徴点を設定する、
請求項１の眼科装置。
【請求項３】
前記特徴点設定部は、所定の非球面式による前記角膜形状データの近似式に基づき特徴点を設定する、
請求項２の眼科装置。
【請求項４】
前記所定の非球面式は、コーニック面の式又はバイコーニック面の式を少なくとも含む式である、
請求項３の眼科装置。
【請求項５】
前記所定の非球面式は、コーニック面の式に偶数次の多項式を加算した式又はバイコーニック面の式に偶数次の多項式を加算した式である、
請求項４の眼科装置。
【請求項６】
前記特徴点設定部は、コーニック面の式を少なくとも含む非球面式により少なくとも１方向において前記角膜形状データの近似を行う、
請求項４又は５の眼科装置。
【請求項７】
前記特徴点設定部は、コーニック面の式を少なくとも含む非球面式により互いに直交する２方向のそれぞれにおいて前記角膜形状データの近似を行う、
請求項４又は５の眼科装置。
【請求項８】
前記特徴点設定部は、コーニック面の式を少なくとも含む非球面式により前記眼の乱視軸方向及びこれに直交する方向のそれぞれにおいて前記角膜形状データの近似を行う、
請求項７の眼科装置。
【請求項９】
前記特徴点設定部は、バイコーニック面の式を少なくとも含む３次元非球面式により前記角膜形状データの近似を行う、
請求項４又は５の眼科装置。
【請求項１０】
前記特徴点設定部は、前記近似式の中心を前記特徴点として設定する、
請求項２〜９のいずれかの眼科装置。
【請求項１１】
前記特定部位検出部は、角膜頂点を前記特定部位として検出し、
前記評価部は、前記角膜頂点と前記近似式の中心との間の偏位に基づいて前記評価を実行する、
請求項１０の眼科装置。
【請求項１２】
前記特定部位検出部は、瞳孔中心を前記特定部位として検出し、
前記評価部は、前記瞳孔中心と前記近似式の中心との間の偏位に基づいて前記評価を実行する、
請求項１０の眼科装置。
【請求項１３】
前記角膜形状測定部は、前記角膜の曲率分布データ又は曲率半径分布データを前記角膜形状データとして取得する、
請求項１〜１２のいずれかの眼科装置。
【請求項１４】
前記角膜形状測定部は、前記角膜の高さ分布データを前記角膜形状データとして取得する、
請求項１〜１２のいずれかの眼科装置。
【請求項１５】
眼を撮影する撮影部とプロセッサとを含む眼科装置を制御する方法であって、
オルソケラトロジーレンズを外した後の眼の第１撮影画像及び第２撮影画像を取得するために前記撮影部を制御し、
前記眼の特定部位を検出するために前記第１撮影画像を解析するように前記プロセッサを制御し、
前記眼の角膜形状データを取得するために前記第２撮影画像を解析するように前記プロセッサを制御し、
前記角膜形状データから特徴点を設定するように前記プロセッサを制御し、
前記特定部位と前記特徴点とに基づいて前記眼に対する前記オルソケラトロジーレンズの装着状態の評価を実行するように前記プロセッサを制御する、
眼科装置の制御方法。
【請求項１６】
請求項１５の制御方法を、コンピュータを含む眼科装置に実行させるプログラム。
【請求項１７】
オルソケラトロジーレンズを外した後の眼の第１撮影画像を解析して特定部位を検出する第１解析部と、
前記眼の第２撮影画像を解析して角膜形状データを取得する第２解析部と、
前記角膜形状データから特徴点を設定する特徴点設定部と、
前記特定部位と前記特徴点とに基づいて前記眼に対する前記オルソケラトロジーレンズの装着状態の評価を実行する評価部と
を含む眼科情報処理装置。
【請求項１８】
プロセッサを含む眼科情報処理装置を制御する方法であって、
眼の特定部位を検出するために、オルソケラトロジーレンズを外した後の前記眼の第１撮影画像を解析するように前記プロセッサを制御し、
前記眼の角膜形状データを取得するために前記眼の第２撮影画像を解析するように前記プロセッサを制御し、
前記角膜形状データから特徴点を設定するように前記プロセッサを制御し、
前記特定部位と前記特徴点とに基づいて前記眼に対する前記オルソケラトロジーレンズの装着状態の評価を実行するように前記プロセッサを制御する、
眼科情報処理装置の制御方法。
【請求項１９】
請求項１８の制御方法をコンピュータに実行させるプログラム。
【請求項２０】
請求項１６又は１９のプログラムが記録された、コンピュータ可読な非一時的記録媒体。
【発明の詳細な説明】
【技術分野】
【０００１】
本発明は、眼科装置、その制御方法、眼科情報処理装置、その制御方法、プログラム、及び記録媒体に関する。
【背景技術】
【０００２】
近視進行に関する近年の研究によると、周辺視野の焦点が網膜面よりも奥に位置することが因子となり、網膜が奥側に変位しようとすることで近視が進行する可能性が報告されている（例えば、非特許文献１を参照）。
【０００３】
近視進行の抑制を目的として、周辺視野における屈折力を高くする（すなわち、周辺部の屈折力をマイナスにする、又は相対的に中心部の屈折力を低くする）ための屈折矯正の手段の１つとしてオルソケラトロジー（以下、「オルソＫ」と略称する）が行われ、その効果は臨床的に実証されている（例えば、非特許文献２を参照）。
【０００４】
オルソＫは、特殊なカーブデザインが施されたコンタクトレンズ（オルソＫレンズ）を装用して角膜形状を矯正することで、近視などの屈折異常を治療する角膜矯正療法である。オルソＫでは、コンタクトレンズを外した後にも屈折矯正効果が一定時間持続されるため、接触競技や屋外競技のための屈折矯正方法としても適応する。
【０００５】
前述のように、近視進行の抑制には周辺視野（周辺部）の屈折状態が重要と考えられるが、患者は日中の活動時においては基本的に中心視野（中心窩）を利用するため、周辺視野の屈折状態がどのようになっているか（つまり、夜間にオルソＫレンズが適切な位置に装着されていたか否か）を意識することはなく、期待された屈折矯正効果が実際に得られているか判断することは難しい。
【先行技術文献】
【非特許文献】
【０００６】
【非特許文献１】Earl L. Smith III, Li-Fang Hung, Juan Huang, “Relative peripheral hyperopic defocus alters central refractive development in infant monkeys”, Vision Research, Volume 49, Issue 19, 30 September 2009, Pages 2386-2392
【非特許文献２】Jun-Kang Si, Kai Tang, Hong-Sheng Bi, Da-Dong Guo, Jun-Guo Guo, and Xing-Rong Wang, “Orthokeratology for Myopia Control: A Meta-analysis”, Optometry and Vision Science,  Vol. 92, No. 3, March 2015, Pages 252-257
【発明の概要】
【発明が解決しようとする課題】
【０００７】
本発明の目的は、オルソＫレンズの装着位置の適否判定を可能にすることにある。
【課題を解決するための手段】
【０００８】
幾つかの例示的態様に係る眼科装置は、オルソケラトロジーレンズを外した後の眼の特定部位を検出する特定部位検出部と、前記眼の角膜形状を測定する角膜形状測定部と、前記角膜形状測定部により取得された角膜形状データから特徴点を設定する特徴点設定部と、前記特定部位と前記特徴点とに基づいて前記眼に対する前記オルソケラトロジーレンズの装着状態の評価を実行する評価部とを含む。
【０００９】
幾つかの例示的態様に係る眼科装置において、前記特徴点設定部は、中心対称な式による前記角膜形状データの近似式に基づき特徴点を設定する。
【００１０】
幾つかの例示的態様に係る眼科装置において、前記特徴点設定部は、所定の非球面式による前記角膜形状データの近似式に基づき特徴点を設定する。
【００１１】
幾つかの例示的態様に係る眼科装置において、前記所定の非球面式は、コーニック面の式又はバイコーニック面の式を少なくとも含む式である。
【００１２】
幾つかの例示的態様に係る眼科装置において、前記所定の非球面式は、コーニック面の式に偶数次の多項式を加算した式又はバイコーニック面の式に偶数次の多項式を加算した式である。
【００１３】
幾つかの例示的態様に係る眼科装置において、前記特徴点設定部は、コーニック面の式を少なくとも含む非球面式により少なくとも１方向において前記角膜形状データの近似を行う。
【００１４】
幾つかの例示的態様に係る眼科装置において、前記特徴点設定部は、コーニック面の式を少なくとも含む非球面式により互いに直交する２方向のそれぞれにおいて前記角膜形状データの近似を行う。
【００１５】
幾つかの例示的態様に係る眼科装置において、前記特徴点設定部は、コーニック面の式を少なくとも含む非球面式により前記眼の乱視軸方向及びこれに直交する方向のそれぞれにおいて前記角膜形状データの近似を行う。
【００１６】
幾つかの例示的態様に係る眼科装置において、前記特徴点設定部は、バイコーニック面の式を少なくとも含む３次元非球面式により前記角膜形状データの近似を行う。
【００１７】
幾つかの例示的態様に係る眼科装置において、前記特徴点設定部は、前記近似式の中心を前記特徴点として設定する。
【００１８】
幾つかの例示的態様に係る眼科装置において、前記特定部位検出部は、角膜頂点を前記特定部位として検出し、前記評価部は、前記角膜頂点と前記近似式の中心との間の偏位に基づいて前記評価を実行する。
【００１９】
幾つかの例示的態様に係る眼科装置において、前記特定部位検出部は、瞳孔中心を前記特定部位として検出し、前記評価部は、前記瞳孔中心と前記近似式の中心との間の偏位に基づいて前記評価を実行する。
【００２０】
幾つかの例示的態様に係る眼科装置において、前記角膜形状測定部は、前記角膜の曲率分布データ又は曲率半径分布データを前記角膜形状データとして取得する。
【００２１】
幾つかの例示的態様に係る眼科装置において、前記角膜形状測定部は、前記角膜の高さ分布データを前記角膜形状データとして取得する。
【００２２】
幾つかの例示的態様に係る方法は、眼を撮影する撮影部とプロセッサとを含む眼科装置を制御する方法であって、オルソケラトロジーレンズを外した後の眼の第１撮影画像及び第２撮影画像を取得するために前記撮影部を制御し、前記眼の特定部位を検出するために前記第１撮影画像を解析するように前記プロセッサを制御し、前記眼の角膜形状データを取得するために前記第２撮影画像を解析するように前記プロセッサを制御し、前記角膜形状データから特徴点を設定するように前記プロセッサを制御し、前記特定部位と前記特徴点とに基づいて前記眼に対する前記オルソケラトロジーレンズの装着状態の評価を実行するように前記プロセッサを制御する。
【００２３】
幾つかの例示的態様に係るプログラムは、いずれかの例示的態様に係る制御方法を、コンピュータを含む眼科装置に実行させるプログラムである。
【００２４】
幾つかの例示的態様に係る記録媒体は、いずれかの例示的態様に係るプログラムが記録された、コンピュータ可読な非一時的記録媒体である。
【００２５】
幾つかの例示的態様に係る眼科情報処理装置は、オルソケラトロジーレンズを外した後の眼の第１撮影画像を解析して特定部位を検出する第１解析部と、前記眼の第２撮影画像を解析して角膜形状データを取得する第２解析部と、前記角膜形状データから特徴点を設定する特徴点設定部と、前記特定部位と前記特徴点とに基づいて前記眼に対する前記オルソケラトロジーレンズの装着状態の評価を実行する評価部とを含む。
【００２６】
幾つかの例示的態様に係る方法は、プロセッサを含む眼科情報処理装置を制御する方法であって、眼の特定部位を検出するために、オルソケラトロジーレンズを外した後の前記眼の第１撮影画像を解析するように前記プロセッサを制御し、前記眼の角膜形状データを取得するために前記眼の第２撮影画像を解析するように前記プロセッサを制御し、前記角膜形状データから特徴点を設定するように前記プロセッサを制御し、前記特定部位と前記特徴点とに基づいて前記眼に対する前記オルソケラトロジーレンズの装着状態の評価を実行するように前記プロセッサを制御する。
【００２７】
幾つかの例示的態様に係るプログラムは、いずれかの例示的態様に係る制御方法をコンピュータに実行させるプログラムである。
【００２８】
幾つかの例示的態様に係る記録媒体は、いずれかの例示的態様に係るプログラムが記録された、コンピュータ可読な非一時的記録媒体である。
【発明の効果】
【００２９】
例示的な態様によれば、オルソＫレンズの装着位置の適否判定を実行することが可能である。
【図面の簡単な説明】
【００３０】
【図１】例示的な態様に係る眼科装置の構成を表す概略図である。
【図２】例示的な態様に係る眼科装置の動作を表すフローチャートである。
【図３】例示的な態様に係る眼科装置の構成を表す概略図である。
【図４】例示的な態様に係る眼科装置の構成を表す概略図である。
【図５】例示的な態様に係る眼科装置の構成を表す概略図である。
【図６】例示的な態様に係る眼科装置の構成を表す概略図である。
【図７】例示的な態様に係る眼科装置の動作を表すフローチャートである。
【図８Ａ】例示的な態様に係る眼科装置の動作を説明するための概略図である。
【図８Ｂ】例示的な態様に係る眼科装置の動作を説明するための概略図である。
【図９】例示的な態様に係る眼科装置の動作を表すフローチャートである。
【図１０Ａ】例示的な態様に係る眼科装置の動作を説明するための概略図である。
【図１０Ｂ】例示的な態様に係る眼科装置の動作を説明するための概略図である。
【図１１】例示的な態様に係る眼科情報処理装置の構成を表す概略図である。
【発明を実施するための形態】
【００３１】
実施形態の幾つかの例示的な態様を以下に説明する。なお、この明細書にて引用された文献に開示された事項や任意の公知技術に係る事項を例示的態様に援用することが可能である。
【００３２】
以下に説明する幾つかの例示的態様は、オルソＫレンズの装着状態の評価、つまり、オルソＫレンズが眼（角膜上）の適切な位置に装着されていたか否かの評価に用いることが可能である。これは、角膜が目的の形状に矯正されているか否かの評価であり、典型的には、近視進行抑制のための周辺視野の屈折状態が適切に矯正されているか否か（つまり、周辺視野の焦点が網膜面よりも手前に位置しているか否か）の評価を含んでいてよい。
【００３３】
以下に説明する幾つかの態様において、「矯正中心」とは、オルソＫレンズにより変形された角膜の頂点（角膜頂点）の検出位置、及び、オルソＫレンズにより変形された角膜形状の中心（変形中心）の推定位置のいずれかを意味していてよい。
【００３４】
なお、ここに言う角膜頂点は、オルソＫレンズを外した後の角膜の最も突出した位置であり、一般に、本来の角膜頂点（オルソＫレンズによる変形の影響がない状態における角膜の頂点）から偏位している（もちろん、オルソＫレンズの影響下の角膜頂点が本来の角膜頂点に一致している状況を除外するものではない）。
【００３５】
角膜頂点の検出は、例えば、前眼部に形成された指標の検出により行われる。その典型的な例として、特開２０１５−８５０８１号公報は、前眼部に光束を投影しつつ正面から撮影し、それにより取得された前眼部像を解析して輝点像（プルキンエ像）を検出し、この輝点像の位置（２次元位置）を角膜頂点の位置として求める技術を開示している。また、特開２０１７−７４１１５号公報は、前眼部に光束を投影しつつ２方向から撮影（ステレオ撮影）を行い、それにより取得された２つの前眼部像を解析して輝点像（プルキンエ像）を検出し、この輝点像の位置（３次元位置）を角膜頂点の位置として求める技術を開示している。角膜頂点検出の他の例として、角膜曲率半径を測定するために角膜に投影されたリングパターン光の撮影像の中心位置を求めて角膜頂点の位置（２次元位置）とすることができる。角膜曲率半径を測定するための眼科装置（ケラトメータ）は、例えば、特開平２−６５８３３号公報に開示されている。角膜頂点検出の更に他の例として、光コヒーレンストモグラフィ（ＯＣＴ）装置（例えば、特開２０１５−１５７１８２号公報）により得られた前眼部の画像から角膜頂点の位置（３次元位置）を検出することができる。
【００３６】
変形中心の推定は、例えば、角膜形状を近似する数式（関数）の中心（典型的には、フィッティング曲面の中心、フィッティング曲線の中心）を求めることにより行われる。この数式（関数）は、例えば、中心対称な数式（関数）であってよく、更には非球面式（非球面形状を表す数式（関数））であってよい。この非球面式は、例えばコーニック面の式（関数）又はバイコーニック面の式（関数）を少なくとも含む式（関数）であってよく、更には、コーニック面の式（関数）に偶数次の多項式を加算した式（関数）、又はバイコーニック面の式（関数）に偶数次の多項式を加算した式（関数）であってよい。
【００３７】
なお、オルソＫレンズには、中心部（オプティカルゾーン、トリートメントゾーン）と周縁部（ペリフェラルゾーン、ランディングゾーン）との間に、曲率の変曲点が存在する領域（遷移ゾーン、リターンゾーン）があるため、コーニック面やバイコーニック面だけではフィッティング精度が低くなるので、例えば４次、６次又は８次程度までの多項式を加えてフィッティング精度を高めることが望ましいと考えられる。
【００３８】
また、近似される角膜形状は、例えば、角膜曲率分布、角膜曲率半径分布、又は、高さ分布であってよい。角膜曲率分布及び角膜曲率半径分布は、例えば、ケラトメータ、角膜トポグラム（例えば、特開平８−２８０６２４号公報を参照）により求められる。高さ分布は、例えば、角膜曲率分布を２回積分することによって求められる。変形中心（特にフィッティング中心）の推定については後述する。
【００３９】
以下の幾つかの態様において、「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路である。プロセッサは、例えば、記憶回路や記憶装置に格納されているプログラムを読み出し実行することで、目的の機能を実現する。
【００４０】
＜第１の態様＞
第１の態様に係る眼科装置について説明する。本態様に係る眼科装置の構成例を図１に示す。眼科装置１０００は、特定部位検出部１０１０と、角膜形状測定部１０２０と、特徴点設定部１０３０と、評価部１０４０とを含む。眼科装置１０００は、これらを制御する制御部１０５０を更に含む。
【００４１】
特定部位検出部１０１０は、オルソＫレンズを外した後の眼の特定部位を検出する。眼の特定部位は、典型的には角膜頂点又は瞳孔中心であるが、他の部位であってもよい。
【００４２】
角膜頂点の検出には、例えば、前述したように、プルキンエ像に基づく２次元位置又は３次元位置の検出手法、ケラトリング像に基づく２次元位置の検出手法、前眼部ＯＣＴを利用した３次元位置の検出手法、及び、他の検出手法のいずれかが適用される。
【００４３】
瞳孔中心の検出には、例えば、前眼部の正面画像の解析による２次元位置の検出手法、２方向からの撮影で得られた２つの前眼部像の解析による３次元位置の検出手法、及び、他の検出手法のいずれかが適用される。
【００４４】
典型的な特定部位検出部１０１０は、前眼部を撮影する撮影部（光学系、撮像素子、カメラ等）と、撮影部により得られた画像を解析するプロセッサとを含む。更に、特定部位検出部１０１０は、プルキンエ像やケラトリング像を形成するための光束を投射する投射部を備えていてもよい。プロセッサは、例えば、特定部位を検出するための公知の解析ソフトウェア（プログラム）にしたがって動作する。
【００４５】
角膜形状測定部１０２０は、眼の角膜形状を測定して角膜形状データを生成する。角膜形状データは、例えば、前述したように、ケラトメータにより得られた角膜曲率分布データ若しくは角膜曲率半径分布データ、角膜トポグラファにより得られた角膜曲率分布データ若しくは角膜曲率半径分布データ、及び、他の測定データのいずれかである。
【００４６】
典型的な角膜形状測定部１０２０は、角膜にパターン像を形成するための光を投射する投射系と、パターン像が形成されている前眼部を撮影する撮影部（光学系、撮像素子、カメラ等）と、撮影部により得られた画像を解析するプロセッサとを含む。プロセッサは、例えば、角膜形状パラメータの分布データを求めるための公知の解析ソフトウェア（プログラム）にしたがって動作する。
【００４７】
特徴点設定部１０３０は、角膜形状測定部１０２０により取得された角膜形状データから特徴点を設定する。特徴点は、角膜の形状において特徴的な位置を表す。特徴点は、典型的には前述の矯正中心である。矯正中心は、例えば、前述したように、オルソＫレンズにより変形した角膜の頂点（角膜頂点）、又は、オルソＫレンズにより変形された角膜形状の中心（フィッティング中心等の変形中心）であってよい。
【００４８】
典型的な特徴点設定部１０３０は、特徴点を検出するために角膜形状データを解析するプロセッサを含む。プロセッサは、角膜形状データから特徴点を設定するための解析ソフトウェア（プログラム）にしたがって動作する。解析ソフトウェアは、例えば、角膜形状データから角膜頂点を検出するためのソフトウェア、及び、角膜形状データから変形中心を検出するためのソフトウェアのいずれかを含む。角膜形状データから変形中心を検出するためのソフトウェアは、例えば、角膜形状データの近似曲面（フィッティング曲面）又は近似曲線（フィッティング曲線）を求める処理と、この近似曲面又は近似曲線の中心（フィッティング中心）を求める処理とをプロセッサに実行させるように構成される。
【００４９】
なお、特定部位検出部１０１０が角膜頂点を特定する場合、角膜形状測定部１０２０及び特徴点設定部１０３０は、角膜頂点以外の任意の特徴点（例えば、フィッティング中心等の変形中心）を設定することができる。他方、角膜頂点以外の眼の部位（例えば瞳孔中心）を特定部位検出部１０１０が特定する場合には、角膜形状測定部１０２０及び特徴点設定部１０３０は、任意の矯正中心（例えば、角膜頂点又は変形中心）を特徴点に設定することができる。
【００５０】
評価部１０４０は、特定部位検出部１０１０により検出された特定部位と、特徴点設定部１０３０により設定された特徴点とに基づいて、眼に対するオルソＫレンズの装着状態の評価を実行する。評価部１０４０は、例えば、特定部位と特徴点との間の偏位（位置のずれ）に基づいて評価を行う。
【００５１】
例えば、特定部位検出部１０１０が特定部位として角膜頂点を検出し、且つ、特徴点設定部１０３０が角膜形状データのフィッティングを行う場合、評価部１０４０は、特定部位検出部１０１０により検出された角膜頂点と、特徴点設定部１０３０により設定されたフィッティング中心との間の偏位に基づき評価を実行する。
【００５２】
他の例において、特定部位検出部１０１０が特定部位として瞳孔中心を検出し、且つ、特徴点設定部１０３０が角膜形状データのフィッティングを行う場合、評価部１０４０は、特定部位検出部１０１０により検出された瞳孔中心と、特徴点設定部１０３０により設定されたフィッティング中心との間の偏位に基づき評価を実行する。
【００５３】
特定部位及び特徴点の双方が３次元位置を表す場合、評価部１０４０は、これら２つの３次元位置を比較することで評価を行う。同様に、特定部位及び特徴点の双方が２次元位置を表す場合、評価部１０４０は、これら２つの２次元位置を比較することで評価を行う。一方、特定部位及び特徴点の一方が２次元位置を表し、他方が３次元位置を表す場合、評価部１０４０は、典型的には、前者の２次元位置を表現する２次元座標系に後者の３次元位置を投影することによって両者の比較を行うことができる。
【００５４】
典型的な評価部１０４０は、特定部位と特徴点とに基づきオルソＫレンズの装着状態の評価を実行するプロセッサを含む。プロセッサは、当該評価を実行するための評価ソフトウェア（プログラム）にしたがって動作する。解析ソフトウェアは、例えば、特定部位と特徴点との間の偏位を算出するためのソフトウェアと、算出された偏位と所定の評価基準（評価プロトコル）に基づき評価を行うためのソフトウェアとを含む。
【００５５】
制御部１０５０は、眼科装置１０００の各部を制御する。制御部１０５０は、制御プログラムにしたがって動作するプロセッサを含む。
【００５６】
図示は省略するが、眼科装置１０００は、表示デバイス、操作デバイス、通信デバイスなどを更に備えていてもよい。
【００５７】
本態様に係る眼科装置１０００の動作について説明する。眼科装置１０００の動作の例を図２に示す。眼科装置１０００の図示しない記憶装置には、図２に示す動作例を実現するためのソフトウェアが記憶されている。眼科装置１０００は、このソフトウェアにしたがって動作することにより、図２に示す一連の処理を実行する。
【００５８】
（Ｓ１：オルソＫレンズを眼から外す）
まず、評価対象のオルソＫレンズを眼から外す。
【００５９】
（Ｓ２：アライメント等の準備動作を行う）
次に、後述の検出及び測定を行うための所定の準備動作が行われる。準備動作としては、例えば、眼に対する眼科装置１０００の位置合わせ（アライメント）、フォーカス調整などがある。また、後述の検出及び測定のいずれかにおいてＯＣＴが行われる場合、典型的には、光路長調整や偏光調整が準備動作として実行される。これら準備動作は公知の手法及び構成により行われる。
【００６０】
（Ｓ３：眼の特定部位を検出する）
特定部位検出部１０１０は、眼の特定部位を検出する。眼の特定部位は、典型的には、角膜頂点又は瞳孔中心である。これにより、眼の特定部位の位置データが得られる。
【００６１】
（Ｓ４：眼の角膜形状を測定する）
角膜形状測定部１０２０は、眼の角膜形状を測定する。角膜形状データは、典型的には、角膜曲率分布データ又は角膜曲率半径分布データである。これにより、眼の角膜形状データが得られる。
【００６２】
（Ｓ５：角膜形状データから特徴点を設定する）
特徴点設定部１０３０は、ステップＳ４で取得された角膜形状データから特徴点を設定する。特徴点は、角膜の形状において特徴的な位置を表し、典型的には矯正中心である。矯正中心は、典型的には、角膜頂点又は変形中心（フィッティング中心等）である。
【００６３】
（Ｓ６：オルソＫレンズの装着状態の評価を行う）
評価部１０４０は、ステップＳ３で検出された特定部位と、ステップＳ５で設定された特徴点とに基づいて（例えば、特定部位と特徴点との間の偏位に基づいて）、眼に対するオルソＫレンズの装着状態の評価を実行する。
【００６４】
制御部１０５０は、ステップＳ６で実行された評価の結果を出力することや、保存することや、記録することができる。例えば、制御部１０５０は、表示デバイスを制御して評価結果を表示させることや、通信デバイスを制御して他の装置（例えば、電子カルテシステム等の医療情報管理装置）に評価結果を送信することや、眼科装置１０００に設けられた記憶装置に評価結果を保存することや、プリンタを制御して評価結果を紙媒体に印刷させることや、ドライブ装置等を制御して評価結果を記録媒体に書き込ませることなどが可能である。
【００６５】
図２に示すステップの順序を任意に変更することができる。例えば、特定部位検出の前に角膜形状測定を行うことができる。
【００６６】
＜第２の態様＞
第２の態様に係る眼科装置について説明する。本態様は、眼の角膜頂点を基準にオルソＫレンズが処方された場合に適用される。本態様では、眼の角膜頂点を基準としてオルソＫレンズが適切に装着された場合には、オルソＫレンズを外した後の角膜頂点が変形中心（フィッティング中心等）に一致するはずであることを前提とする。また、本態様では、眼には乱視がないこと、及び、オルソＫレンズにより変形した角膜の形状（非球面性）が等方的であることを仮定する。ここで、眼に乱視がないことは、例えば、眼の乱視度の測定値が所定閾値以下であることを意味し、そのような眼に対して本態様を適用することが可能である。
【００６７】
本態様に係る眼科装置の構成例を図３に示す。眼科装置２０００は、眼特性測定機能を有し、付加的にＯＣＴ機能を有する。
【００６８】
測定可能な眼特性の例として屈折力と角膜形状がある。屈折力のパラメータの例として、球面度数、乱視度数、乱視軸角度などがある。角膜形状のパラメータの例として、角膜曲率、角膜曲率半径などがある。角膜形状は、典型的には、角膜曲率分布又は角膜曲率半径分布で表現される。なお、一般に曲率と曲率半径とは互いに逆数の関係にあり、角膜曲率と角膜曲率半径とは等価なパラメータである。
【００６９】
本態様に適用可能なＯＣＴのタイプは任意である。本態様ではスウェプトソースＯＣＴが適用されるが、スペクトラルドメインＯＣＴ又は他のタイプであってもよい。ここで、スウェプトソースＯＣＴは、波長可変光源からの光を測定光と参照光とに分割し、被検物からの測定光の戻り光を参照光と重ね合わせて干渉光を生成し、この干渉光を光検出器で検出し、波長の掃引及び測定光のスキャンに応じて収集された検出データにフーリエ変換等を施して画像を構築する手法である。一方、スペクトラルドメインＯＣＴは、低コヒーレンス光源（広帯域光源）からの光を測定光と参照光とに分割し、被検物からの測定光の戻り光を参照光と重ね合わせて干渉光を生成し、この干渉光のスペクトル分布を分光器で検出し、検出されたスペクトル分布にフーリエ変換等を施して画像を構築する手法である。すなわち、スウェプトソースＯＣＴは、干渉光のスペクトル分布を時分割で取得するＯＣＴ手法であり、スペクトラルドメインＯＣＴは、干渉光のスペクトル分布を空間分割で取得するＯＣＴ手法である。
【００７０】
眼科装置は、他の他覚測定機能を備えていてもよく、また、自覚検査機能を備えていてもよい。自覚検査は、被検者からの応答を利用して情報を取得する測定手法であり、典型的には、遠用検査、近用検査、コントラスト検査、グレア検査等の自覚屈折測定や、視野検査などがある。他覚測定は、被検者からの応答を参照することなく、主に物理的な手法を用いて眼のデータを取得する測定手法である。他覚測定には、眼の特性データを取得するための測定と、眼の画像データを取得するための撮影とが含まれる。他覚測定としては、前述した屈折力測定や角膜形状測定に加え、眼圧測定、前眼部撮影、眼底撮影、ＯＣＴ等がある。
【００７１】
本態様において、特に言及しない限り、眼の部位と光学系内の位置との間の共役関係は、アライメントが好適な状態における相互の位置関係を意味するものとする。例えば、光学系における眼底共役位置は、アライメントが好適な状態において眼底と光学的に略共役な位置であり、眼底と光学的に共役な位置又はその近傍を意味する。また、瞳孔共役位置は、アライメントが好適な状態において瞳孔と光学的に略共役な位置であり、瞳孔と光学的に共役な位置又はその近傍を意味する。
【００７２】
以下、眼科装置２０００の光学系の光軸に沿う方向をＺ方向と呼ぶ。また、この光軸（Ｚ座標軸）に直交する平面（ＸＹ平面）を定義する２次元直交座標系（ＸＹ座標系）の第１座標軸（例えば水平方向に沿う座標軸）及び第２座標軸（例えば上下方向に沿う座標軸）について、第１座標軸（Ｘ座標軸）に沿う方向をＸ方向と呼び、第２座標軸（Ｙ座標軸）に沿う方向をＹ方向と呼ぶ。
【００７３】
さて、図３に示す眼科装置２０００は、Ｚアライメント系１、ＸＹアライメント系２、ケラト測定系３、固視投影系４、前眼部観察系５、レフ測定投射系６、レフ測定受光系７、及びＯＣＴ光学系８を含む。以下では、例えば、前眼部観察系５が９４０ｎｍ〜１０００ｎｍの光を用い、レフ測定光学系（レフ測定投射系６、レフ測定受光系７）が８３０ｎｍ〜８８０ｎｍの光を用い、固視投影系４が４００ｎｍ〜７００ｎｍの光を用い、ＯＣＴ光学系８が１０００ｎｍ〜１１００ｎｍの光を用いるものとする。
【００７４】
前眼部観察系５は、眼Ｅの前眼部を動画撮影する。前眼部観察系５を経由する光学系において、撮像素子５９の撮像面は瞳孔共役位置に配置されている。前眼部照明光源５０は、眼Ｅの前眼部に照明光（例えば、赤外光）を照射する。眼Ｅの前眼部により反射された光は、対物レンズ５１を通過し、ダイクロイックミラー５２を透過し、絞り（テレセン絞り）５３に形成された孔部を通過し、ハーフミラー２３を透過し、リレーレンズ５５及び５６を通過し、ダイクロイックミラー７６を透過する。ダイクロイックミラー５２は、レフ測定光学系の光路と前眼部観察系５の光路とを結合する。ダイクロイックミラー５２は、これらの光路が結合される光路結合面が対物レンズ５１の光軸に対して傾斜して配置される。ダイクロイックミラー７６を透過した光は、結像レンズ５８により撮像素子５９（エリアセンサー）の撮像面に結像される。撮像素子５９は、所定のレートで撮像及び信号出力を行う。撮像素子５９の出力（映像信号）は、後述のコンピュータ９に入力される。コンピュータ９は、この映像信号に基づく前眼部像Ｅ´を表示部１０の表示画面１０ａに表示させる。前眼部像Ｅ´は、例えば赤外動画像である。
【００７５】
Ｚアライメント系１は、前眼部観察系５の光軸方向（前後方向、Ｚ方向）におけるアライメントを行うための光（赤外光）を眼Ｅに投射する。Ｚアライメント光源１１から出力された光は、眼Ｅの角膜Ｃｒに斜方から投射され、角膜Ｃｒにより反射され、結像レンズ１２によりラインセンサー１３のセンサー面に結像される。
【００７６】
角膜Ｃｒ（角膜頂点）の位置がＺ方向に変化すると、ラインセンサー１３のセンサー面における光の投射位置が変化する。コンピュータ９は、ラインセンサー１３のセンサー面における光の投射位置に基づいて眼Ｅの角膜頂点の位置を求め、これに基づき光学系を移動させる機構を制御してＺアライメントを実行する。このＺアライメント手法は、光テコを利用したアライメント手法の例である。
【００７７】
ラインセンサー１３の代わりに、任意の１次元又は２次元イメージセンサーを用いることができる。すなわち、Ｚアライメント系に設けられる光検出器は、複数の光検出素子（フォトダイオード等）が１次元的又は２次元的に配列された任意のイメージセンサーであってよい。
【００７８】
ＸＹアライメント系２は、前眼部観察系５の光軸に直交する方向（左右方向（Ｘ方向）、上下方向（Ｙ方向））のアライメントを行うための光束（赤外光）を眼Ｅに照射する。ＸＹアライメント系２は、ハーフミラー２３により前眼部観察系５の光路から分岐された光路に設けられたＸＹアライメント光源２１とコリメータレンズ２２とを含む。ＸＹアライメント光源２１から出力された光は、コリメータレンズ２２を通過し、ハーフミラー２３により反射され、前眼部観察系５を通じて眼Ｅに投射される。眼Ｅの角膜Ｃｒによる反射光は、前眼部観察系５を通じて撮像素子５９に導かれる。
【００７９】
この反射光に基づく像（輝点像）Ｂｒは前眼部像Ｅ´に含まれる。コンピュータ９は、輝点像Ｂｒを含む前眼部像Ｅ´とアライメントマークＡＬとを表示部１０の表示画面１０ａに表示させる。手動でＸＹアライメントを行う場合、ユーザは、アライメントマークＡＬ内に輝点像Ｂｒを誘導するように光学系の移動操作を行う。自動でアライメントを行う場合、コンピュータ９は、アライメントマークＡＬに対する輝点像Ｂｒの偏位がキャンセルされるように、光学系を移動させる機構を制御する。
【００８０】
ケラト測定系３は、眼Ｅの角膜Ｃｒの形状を測定するためのリング状光束（赤外光）を角膜Ｃｒに投射する。ケラト板３１は、対物レンズ５１と眼Ｅとの間に配置されている。ケラト板３１の背面側（対物レンズ５１側）にはケラトリング光源３２が設けられている。ケラトリング光源３２からの光でケラト板３１を照明することにより、眼Ｅの角膜Ｃｒにリング状光束（円弧状又は円周状の測定パターン）が投射される。眼Ｅの角膜Ｃｒからの反射光（ケラトリング像）は撮像素子５９により前眼部像Ｅ´とともに検出される。コンピュータ９は、このケラトリング像を基に公知の演算を行うことで、角膜Ｃｒの形状を表す角膜形状パラメータの値を算出する。典型的な角膜形状パラメータとして角膜曲率半径（角膜曲率）がある。
【００８１】
なお、ケラト測定系３の代わりに、又はこれに加えて、眼科装置２０００は、角膜トポグラフィ系（角膜トポグラファ）を備えていてもよい。角膜トポグラフィ系は、前述した角膜トポグラムを取得するための要素群を含む（例えば、特開平８−２８０６２４号公報を参照）。角膜トポグラフィ系は、プラチドリングと呼ばれる多重同心円パターンを角膜Ｃｒに投影する。角膜Ｃｒからの反射光（プラチドリング像）は撮像素子５９により前眼部像Ｅ´とともに検出される。コンピュータ９は、このプラチドリング像を基に公知の演算を行うことで、角膜Ｃｒの形状を表す角膜形状パラメータの分布を求める。得られた分布データを擬似カラー表現することにより角膜トポグラムが提供される。
【００８２】
レフ測定光学系は、屈折力測定に用いられるレフ測定投射系６及びレフ測定受光系７を含む。レフ測定投射系６は、屈折力測定用の光束（例えば、リング状光束）を眼底Ｅｆに投射する。この光束は、典型的には赤外光である。レフ測定受光系７は、この光束の眼Ｅからの戻り光を検出する。レフ測定投射系６は、レフ測定受光系７の光路に設けられた孔開きプリズム６５によって分岐された光路に設けられる。孔開きプリズム６５に形成されている孔部は、瞳孔共役位置に配置される。レフ測定受光系７を経由する光学系において、撮像素子５９の撮像面は眼底共役位置に配置される。
【００８３】
本態様では、レフ測定光源６１は、例えば、高輝度光源であるスーパールミネセントダイオード（ＳＬＤ）であってよい。レフ測定光源６１は、光軸方向に移動可能である。レフ測定光源６１は、眼底共役位置に配置される。レフ測定光源６１から出力された光は、リレーレンズ６２を通過し、円錐プリズム６３の円錐面に入射する。円錐面に入射した光は偏向され、円錐プリズム６３の底面から出射する。円錐プリズム６３の底面から出射した光は、リング絞り６４にリング状に形成された透光部を通過する。リング絞り６４の透光部を通過した光（リング状光束）は、孔開きプリズム６５の孔部の周囲に形成された反射面により反射され、ロータリープリズム６６を通過し、ダイクロイックミラー６７により反射される。ダイクロイックミラー６７により反射された光は、ダイクロイックミラー５２により反射され、対物レンズ５１を通過し、眼Ｅに投射される。ロータリープリズム６６は、眼底Ｅｆの血管や疾患部位に対するリング状光束の光量分布を平均化や光源に起因するスペックルノイズの低減のために用いられる。
【００８４】
眼底Ｅｆに投射されたリング状光束の戻り光は、対物レンズ５１を通過し、ダイクロイックミラー５２及びダイクロイックミラー６７により反射される。ダイクロイックミラー６７により反射された戻り光は、ロータリープリズム６６を通過し、孔開きプリズム６５の孔部を通過し、リレーレンズ７１を通過し、反射ミラー７２により反射され、リレーレンズ７３及び合焦レンズ７４を通過する。合焦レンズ７４は、レフ測定受光系７の光軸に沿って移動可能である。合焦レンズ７４を通過した光は、反射ミラー７５により反射され、ダイクロイックミラー７６により反射され、結像レンズ５８により撮像素子５９の撮像面に結像される。コンピュータ９は、撮像素子５９からの出力を基に公知の演算を行うことで眼Ｅの屈折力値を算出する。例えば、屈折力値は、球面度数、乱視度数及び乱視軸角度、及び等価球面度数のうちの少なくとも１つを含む。
【００８５】
ダイクロイックミラー６７によりレフ測定光学系の光路から波長分離された光路にＯＣＴ光学系８が設けられる。ダイクロイックミラー８３によりＯＣＴ光学系８の光路から分岐された光路に固視投影系４が設けられる。
【００８６】
固視投影系４は、固視標を眼Ｅに呈示する。固視投影系４の光路には、固視ユニット４０が配置されている。固視ユニット４０は、後述のコンピュータ９からの制御を受け、固視投影系４の光路に沿って移動可能である。固視ユニット４０は、液晶パネル４１を含む。
【００８７】
コンピュータ９による制御を受けた液晶パネル４１は、固視標を表すパターンを表示する。液晶パネル４１の画面上におけるパターンの表示位置を変更することにより、眼Ｅの固視位置を変更できる。固視位置としては、黄斑部を中心とする画像を取得するための位置や、視神経乳頭を中心とする画像を取得するための位置や、黄斑部と視神経乳頭との間の眼底中心を中心とする画像を取得するための位置などがある。固視標を表すパターンの表示位置を任意に変更することが可能である。なお、液晶パネル４１に代えて、フィルム等に視標等が印刷された透過型の視標チャートと、視標チャートを照明する照明用光源とが設けられていてもよい。
【００８８】
液晶パネル４１からの光は、リレーレンズ４２を通過し、ダイクロイックミラー８３を透過し、リレーレンズ８２を通過し、反射ミラー８１により反射され、ダイクロイックミラー６７を透過し、ダイクロイックミラー５２により反射される。ダイクロイックミラー５２により反射された光は、対物レンズ５１を通過して眼底Ｅｆに投射される。幾つかの態様では、液晶パネル４１及びリレーレンズ４２のそれぞれは、独立に光軸方向に移動可能である。
【００８９】
ＯＣＴ光学系８は、眼ＥにＯＣＴを適用するための光学系である。ＯＣＴよりも前に実施されたレフ測定結果に基づいて、光ファイバーｆ１の端面が撮影部位（眼底Ｅｆ又は前眼部）と共役となるように合焦レンズ８７の位置が調整される。
【００９０】
ＯＣＴ光学系８は、ダイクロイックミラー６７によりレフ測定光学系の光路から波長分離された光路に設けられる。上記の固視投影系４の光路は、ダイクロイックミラー８３によりＯＣＴ光学系８の光路に結合される。それにより、ＯＣＴ光学系８及び固視投影系４のそれぞれの光軸を同軸で結合することができる。
【００９１】
ＯＣＴ光学系８は、ＯＣＴユニット１００を含む。図４に示すように、ＯＣＴユニット１００において、ＯＣＴ光源１０１は、一般的なスウェプトソースタイプのＯＣＴ装置と同様に、出射光の波長を掃引可能な波長可変光源を含む。波長可変光源は、共振器を含むレーザー光源を含む。ＯＣＴ光源１０１は、人眼では視認できない近赤外の波長帯において、出力波長を時間的に変化させる。ＯＣＴ光源１０１は、例えば、出射光の波長（１０００ｎｍ〜１１００ｎｍの波長範囲）を高速で変化させる近赤外波長可変レーザーを含む。
【００９２】
図４に例示するように、ＯＣＴユニット１００には、スウェプトソースＯＣＴを実行するための光学系が設けられている。この光学系は、干渉光学系を含む。この干渉光学系は、波長可変光源からの光を測定光と参照光とに分割する機能と、眼Ｅからの測定光の戻り光と参照光路を経由した参照光とを重ね合わせて干渉光を生成する機能と、この干渉光を検出する機能とを備える。干渉光学系により得られた干渉光の検出結果（検出信号）は、干渉光のスペクトルを表す信号であり、コンピュータ９に送られる。また、測定光の光路（測定アーム、サンプルアーム）の長さ、及び、参照光の光路（参照アーム）の長さの少なくとも一方が可変である。
【００９３】
ＯＣＴ光源１０１から出力された光Ｌ０は、光ファイバー１０２により偏波コントローラ１０３に導かれてその偏光状態が調整される。偏光状態が調整された光Ｌ０は、光ファイバー１０４によりファイバーカプラー１０５に導かれて測定光ＬＳと参照光ＬＲとに分割される。
【００９４】
参照光ＬＲは、光ファイバー１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。コーナーキューブ１１４は、参照光ＬＲの入射方向に移動可能であり、それにより参照光ＬＲの光路長が変更される。
【００９５】
コーナーキューブ１１４を経由した参照光ＬＲは、分散補償部材１１３及び光路長補正部材１１２を経由し、コリメータ１１６によって平行光束から集束光束に変換され、光ファイバー１１７に入射する。光ファイバー１１７に入射した参照光ＬＲは、偏波コントローラ１１８に導かれてその偏光状態が調整され、光ファイバー１１９によりアッテネータ１２０に導かれて光量が調整され、光ファイバー１２１によりファイバーカプラー１２２に導かれる。
【００９６】
一方、ファイバーカプラー１０５により生成された測定光ＬＳは、光ファイバーｆ１により導かれてコリメータレンズユニット８９により平行光束に変換され、光スキャナー８８、合焦レンズ８７、リレーレンズ８５、及び反射ミラー８４を経由し、ダイクロイックミラー８３により反射される。
【００９７】
光スキャナー８８は、測定光ＬＳを１次元的又は２次元的に偏向する。光スキャナー８８は、例えば、第１ガルバノミラーと、第２ガルバノミラーとを含む。第１ガルバノミラーは、ＯＣＴ光学系８の光軸に直交する水平方向（Ｘ方向）に撮影部位（眼底Ｅｆ又は前眼部）をスキャンするように測定光ＬＳを偏向する。第２ガルバノミラーは、ＯＣＴ光学系８の光軸に直交する上下方向（Ｙ方向）に撮影部位をスキャンするように、第１ガルバノミラーにより偏向された測定光ＬＳを偏向する。このような光スキャナー８８による測定光ＬＳのスキャンパターンとしては、例えば、水平スキャン、垂直スキャン、十字スキャン、放射スキャン、円スキャン、同心円スキャン、螺旋スキャンなどがある。
【００９８】
ダイクロイックミラー８３により反射された測定光ＬＳは、リレーレンズ８２を通過し、反射ミラー８１により反射され、ダイクロイックミラー６７を透過し、ダイクロイックミラー５２により反射され、対物レンズ５１により屈折されて眼Ｅに入射する。測定光ＬＳは、眼Ｅの様々な深さ位置において散乱・反射される。眼Ｅからの測定光ＬＳの戻り光は、往路と同じ経路を逆向きに進行してファイバーカプラー１０５に導かれ、光ファイバー１２８を経由してファイバーカプラー１２２に到達する。
【００９９】
ファイバーカプラー１２２は、光ファイバー１２８を介して入射された測定光ＬＳと、光ファイバー１２１を介して入射された参照光ＬＲとを重ね合わせて干渉光を生成する。ファイバーカプラー１２２は、所定の分岐比（例えば１：１）で干渉光を分岐することにより、一対の干渉光ＬＣを生成する。一対の干渉光ＬＣは、それぞれ光ファイバー１２３及び１２４を通じて検出器１２５に導かれる。
【０１００】
検出器１２５は、例えばバランスドフォトダイオードである。バランスドフォトダイオードは、一対の干渉光ＬＣをそれぞれ検出する一対のフォトディテクタを含み、これらフォトディテクタにより得られた一対の検出結果の差分を出力する。検出器１２５は、この出力（検出信号）をデータ収集システム（ＤＡＱ）１３０に送る。
【０１０１】
ＤＡＱ１３０には、ＯＣＴ光源１０１からクロックＫＣが供給される。クロックＫＣは、ＯＣＴ光源１０１において、波長可変光源により所定の波長範囲内で掃引される各波長の出力タイミングに同期して生成される。ＯＣＴ光源１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、検出器１２５から入力される検出信号をクロックＫＣに基づきサンプリングする。ＤＡＱ１３０は、検出器１２５からの検出信号のサンプリング結果をコンピュータ９に送られる。コンピュータ９は、例えば一連の波長掃引毎に（Ａライン毎に）、サンプリングデータに基づくスペクトル分布にフーリエ変換等を施すことにより、各Ａラインにおける反射強度プロファイルを形成する。更に、コンピュータ９は、各Ａラインの反射強度プロファイルを画像化することにより画像データを形成する。
【０１０２】
本例では、測定アーム長と参照アーム長との間の差を変更してコヒーレンスゲートを移動するために参照アーム長を変更する要素（移動可能なコーナーキューブ１１４）が設けられているが、他の要素を採用してもよい。例えば、移動可能なミラーを参照アームに設けることや、移動可能なコーナーキューブ等のリトロリフレクタを測定アームに設けることが可能である。
【０１０３】
コンピュータ９は、レフ測定光学系を用いて得られた測定結果から屈折力値を算出し、算出された屈折力値に基づいて、眼底Ｅｆとレフ測定光源６１と撮像素子５９とが共役となる位置に、レフ測定光源６１及び合焦レンズ７４それぞれを光軸方向に移動させる。幾つかの態様では、コンピュータ９は、合焦レンズ７４の移動に連動してＯＣＴ光学系８の合焦レンズ８７をその光軸方向に移動させる。幾つかの態様では、コンピュータ９は、レフ測定光源６１及び合焦レンズ７４の移動に連動して液晶パネル４１（固視ユニット４０）をその光軸方向に移動させる。これらの他にも、コンピュータ９は、各種の制御、各種のデータ処理、各種の演算などを実行する。
【０１０４】
眼科装置２０００の処理系の構成について説明する。眼科装置２０００の処理系の機能的構成の例を図５及び図６に示す。図５は、眼科装置２０００の処理系の機能ブロック図の一例を表す。図６は、データ処理部２２３の機能ブロック図の一例を表す。
【０１０５】
コンピュータ９は、眼科装置２０００の各部の制御、各種のデータ処理、各種の演算などを実行する。コンピュータ９は、１以上のプロセッサと、１以上の記憶装置とを含む。記憶装置は、例えば、ハードディスクドライブ、ＲＡＭ、ＲＯＭ、半導体メモリなどを含む。
【０１０６】
記憶装置には、１以上の制御プログラム、１以上のデータ処理プログラム、１以上の演算プログラムなど、各種のプログラム（ソフトウェア）が記憶される。いずれかのプロセッサがいずれかのプログラムにしたがって動作することで、コンピュータ９は、制御、データ処理、演算などを実行する。すなわち、コンピュータ９は、プロセッサ等のハードウェアとソフトウェアとの協働により、制御、データ処理、演算などを実行する。
【０１０７】
コンピュータ９は、制御部２１０と、演算処理部２２０とを含む。また、眼科装置２０００は、移動機構２００と、表示部２７０と、操作部２８０と、通信部２９０とを含む。
【０１０８】
移動機構２００は、眼科装置２０００のヘッド部を前後左右方向に移動させるための機構である。ヘッド部には、Ｚアライメント系１、ＸＹアライメント系２、ケラト測定系３、固視投影系４、前眼部観察系５、レフ測定投射系６、レフ測定受光系７、及び、ＯＣＴ光学系８（少なくともＯＣＴユニット１００を除く要素群）などが収容されている。例えば、移動機構２００には、ヘッド部を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。制御部２１０（主制御部２１１）は、アクチュエータに制御信号を送ることによって移動機構２００に対する制御を行う。
【０１０９】
制御部２１０は、１以上のプロセッサを含み、眼科装置２０００の各部を制御する。制御部２１０は、主制御部２１１と、記憶部２１２とを含む。記憶部２１２には、眼科装置２０００を制御するためのプログラム群があらかじめ格納される。プログラム群には、光源制御用プログラム、検出器制御用プログラム、光スキャナー制御用プログラム、光学系制御用プログラム、アライメント制御用プログラム、演算処理用プログラム、及びユーザインターフェイス用プログラムなどが含まれる。このようなプログラムにしたがって眼科装置２０００は演算や制御を実行する。
【０１１０】
主制御部２１１は、眼科装置２０００の各種制御を行う。Ｚアライメント系１に対する制御には、Ｚアライメント光源１１の制御、ラインセンサー１３の制御などがある。Ｚアライメント光源１１の制御には、光源の点灯、消灯、光量調整、絞り調整などがある。ラインセンサー１３の制御には、検出素子の露光調整やゲイン調整や検出レート調整などがある。それにより、Ｚアライメント光源１１の点灯と非点灯とが切り替えられたり、光量が変更されたりする。主制御部２１１は、ラインセンサー１３により検出された信号を取り込み、取り込まれた信号に基づいてラインセンサー１３に対する光の投影位置を特定する。主制御部２１１は、特定された投影位置に基づいて眼Ｅの角膜頂点の位置を求め、これに基づき移動機構２００を制御してヘッド部を前後方向に移動させる（Ｚアライメント）。
【０１１１】
ＸＹアライメント系２に対する制御には、ＸＹアライメント光源２１の制御などがある。ＸＹアライメント光源２１の制御には、光源の点灯、消灯、光量調整、絞り調整などがある。それにより、ＸＹアライメント光源２１の点灯と非点灯とが切り替えられたり、光量が変更されたりする。主制御部２１１は、撮像素子５９により検出された信号を取り込み、取り込まれた信号に基づいてＸＹアライメント光源２１からの光の戻り光に基づく輝点像の位置を特定する。主制御部２１１は、所定の目標位置（例えば、アライメントマークＡＬの中心位置）に対する輝点像Ｂｒの偏位がキャンセルされるように移動機構２００を制御してヘッド部を左右上下方向に移動させる（ＸＹアライメント）。
【０１１２】
ケラト測定系３に対する制御には、ケラトリング光源３２の制御などがある。ケラトリング光源３２の制御には、光源の点灯、消灯、光量調整、絞り調整などがある。それにより、ケラトリング光源３２の点灯と非点灯とが切り替えられたり、光量が変更されたりする。主制御部２１１は、撮像素子５９により検出されたケラトリング像に対する公知の演算を演算処理部２２０に実行させる。それにより、眼Ｅの角膜形状パラメータの値が求められる。前述した角膜トポグラフィ系が設けられている場合にも、主制御部２１１は同様の処理を実行する。
【０１１３】
固視投影系４に対する制御には、液晶パネル４１の制御や固視ユニット４０の移動制御などがある。液晶パネル４１の制御には、固視標の表示のオン・オフや、固視標の表示位置の切り替えなどがある。
【０１１４】
例えば、固視投影系４には、液晶パネル４１（又は固視ユニット４０）を光軸方向に移動する移動機構が設けられる。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、少なくとも液晶パネル４１を光軸方向に移動させる。それにより、液晶パネル４１と眼底Ｅｆとが光学的に共役となるように液晶パネル４１の位置が調整される。
【０１１５】
前眼部観察系５に対する制御には、前眼部照明光源５０の制御、撮像素子５９の制御などがある。前眼部照明光源５０の制御には、光源の点灯、消灯、光量調整、絞り調整などがある。それにより、前眼部照明光源５０の点灯と非点灯とが切り替えられたり、光量が変更されたりする。撮像素子５９の制御には、撮像素子５９の露光調整やゲイン調整や検出レート調整などがある。主制御部２１１は、撮像素子５９により検出された信号を取り込み、取り込まれた信号に基づく画像の形成等の処理を演算処理部２２０に実行させる。
【０１１６】
レフ測定投射系６に対する制御には、レフ測定光源６１の制御、ロータリープリズム６６の制御などがある。レフ測定光源６１の制御には、光源の点灯、消灯、光量調整、絞り調整などがある。それにより、レフ測定光源６１の点灯と非点灯とが切り替えられたり、光量が変更されたりする。例えば、レフ測定投射系６は、レフ測定光源６１を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、レフ測定光源６１を光軸方向に移動させる。ロータリープリズム６６の制御には、ロータリープリズム６６の回転制御などがある。例えば、ロータリープリズム６６を回転させる回転機構が設けられており、主制御部２１１は、この回転機構を制御することによりロータリープリズム６６を回転させる。
【０１１７】
レフ測定受光系７に対する制御には、合焦レンズ７４の制御などがある。合焦レンズ７４の制御には、合焦レンズ７４の光軸方向への移動制御などがある。例えば、レフ測定受光系７は、合焦レンズ７４を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ７４を光軸方向に移動させる。主制御部２１１は、レフ測定光源６１と眼底Ｅｆと撮像素子５９とが光学的に共役となるように、例えば眼Ｅの屈折力に応じてレフ測定光源６１及び合焦レンズ７４をそれぞれ光軸方向に移動させることが可能である。
【０１１８】
ＯＣＴ光学系８に対する制御には、ＯＣＴ光源１０１の制御、光スキャナー８８の制御、合焦レンズ８７の制御、コーナーキューブ１１４の制御、検出器１２５の制御、ＤＡＱ１３０の制御などがある。ＯＣＴ光源１０１の制御には、光源の点灯、消灯、光量調整、絞り調整などがある。光スキャナー８８の制御には、第１ガルバノミラーによるスキャン位置やスキャン範囲やスキャン速度の制御、第２ガルバノミラーによるスキャン位置やスキャン範囲やスキャン速度の制御などがある。
【０１１９】
合焦レンズ８７の制御には、合焦レンズ８７の光軸方向への移動制御、撮影部位に対応した合焦基準位置への合焦レンズ８７の移動制御、撮影部位に対応した移動範囲（合焦範囲）内での移動制御などがある。例えば、ＯＣＴ光学系８は、合焦レンズ８７を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ８７を光軸方向に移動させる。幾つかの態様では、眼科装置２０００には、合焦レンズ７４及び８７を保持する保持部材と、保持部材を駆動する駆動部が設けられる。主制御部２１１は、駆動部を制御することにより合焦レンズ７４及び８７の移動制御を行う。主制御部２１１は、例えば、合焦レンズ７４の移動に連動して合焦レンズ８７を移動させた後、干渉信号の強度に基づいて合焦レンズ８７だけを移動させるようにしてもよい。
【０１２０】
コーナーキューブ１１４の制御には、コーナーキューブ１１４の光路に沿った移動制御などがある。例えば、ＯＣＴ光学系８は、コーナーキューブ１１４を光路に沿った方向に移動する移動機構を含む。この移動機構には、移動機構２００と同様に、コーナーキューブ１１４を移動するための駆動力を発生するアクチュエータと、この駆動力を伝達する伝達機構とが設けられる。主制御部２１１は、アクチュエータに対して制御信号を送ることにより移動機構に対する制御を行い、コーナーキューブ１１４を光路に沿った方向に移動させる。検出器１２５の制御には、検出素子の露光調整やゲイン調整や検出レート調整などがある。主制御部２１１は、検出器１２５により検出された信号のサンプリングをＤＡＱ１３０に実行させ、サンプリングされた信号に基づく画像構築等の処理を演算処理部２２０（画像形成部２２２）に実行させる。
【０１２１】
また、主制御部２１１は、眼屈折力算出部２２１により算出された屈折力の測定値、画像形成部２２２により形成された断層像（ＯＣＴ画像）、後述のデータ処理部２２３により得られた結果に対応した情報などを、表示部２７０に表示させる。
【０１２２】
記憶部２１２は、各種のデータを記憶する。記憶部２１２に記憶されるデータの例として、他覚測定により得られたデータ、ＯＣＴスキャンにより得られたデータ、断層像の画像データ、前眼部像の画像データ、データ処理部２３０に供給されるデータ、データ処理部２３０により生成されたデータ、被検眼情報などがある。被検眼情報は、左眼／右眼の識別情報などの被検眼に関する情報を含む。
【０１２３】
演算処理部２２０は、眼屈折力算出部２２１と、画像形成部２２２と、データ処理部２２３とを含む。
【０１２４】
眼屈折力算出部２２１は、レフ測定投射系６により眼底Ｅｆに投影されたリング状光束（リング状の測定パターン）の戻り光を撮像素子５９が検出することにより得られたリング像（パターン像）を解析する。例えば、眼屈折力算出部２２１は、得られたリング像が描出された画像における輝度分布からリング像の重心位置を求め、この重心位置から放射状に延びる複数のスキャン方向に沿った輝度分布を求め、この輝度分布からリング像を特定する。続いて、眼屈折力算出部２２１は、特定されたリング像の近似楕円を求め、この近似楕円の長径及び短径を公知の式に代入することによって球面度数、乱視度数及び乱視軸角度（屈折力値）を求める。或いは、眼屈折力算出部２２１は、基準パターンに対するリング像の変形及び偏位に基づいて眼屈折力のパラメータを求めることができる。
【０１２５】
また、眼屈折力算出部２２１は、前眼部観察系５により取得されたケラトリング像に基づいて角膜曲率半径（角膜曲率）を算出する。例えば、眼屈折力算出部２２１は、ケラトリング像を解析することにより角膜前面の強主経線の曲率半径と弱主経線の曲率半径とを算出し、これら曲率半径に統計処理を適用して角膜曲率半径を算出する。この統計処理は、例えば、平均化、最大値の選択、又は最小値の選択であってよい。眼屈折力算出部２２１は、算出された角膜曲率半径に基づいて、角膜屈折力、角膜乱視度及び角膜乱視軸角度を算出することができる。
【０１２６】
角膜曲率半径を求めるための手法はケラトリングを用いる手法に限定されない。例えば、前述した角膜トポグラフィ系（プラチドリング）を用いる手法の他にも、スリットスキャンを用いる手法、シャインプルーフカメラを用いる手法、前眼部ＯＣＴを用いる手法など、任意の角膜形状解析手法を適用することが可能である。眼屈折力算出部２２１は、第１の態様における角膜形状測定部１０２０の一部としての機能を有する。
【０１２７】
画像形成部２２２は、ＯＣＴ系８（ＤＡＱ１３０）からの出力に基づいて、眼Ｅ（眼底Ｅｆ、前眼部など）の断層像の画像データを形成する。この画像形成処理は、従来の（スウェプトソース）ＯＣＴと同様に、フィルター処理、高速フーリエ変換（ＦＦＴ）などを含む。このような処理によりＡライン（眼Ｅ内における測定光ＬＳのスキャン経路）における反射強度プロファイルが取得され、この反射強度プロファイルを画像化することでこのＡラインの画像データ（Ａスキャンデータ）が形成される。
【０１２８】
更に、画像形成部２２２は、ＯＣＴスキャン（測定光ＬＳの偏向、Ａスキャン位置の移動）のモードにしたがって複数のＡスキャンデータを形成し、これらＡスキャンデータを配列することで２次元画像データや３次元画像データを構築することができる。
【０１２９】
ラスタースキャン等により複数の断層像データ（スタックデータ）が得られた場合、画像形成部２２２は、これら断層像データに補間処理等のボクセル化処理を適用することによりボクセルデータ（ボリュームデータ）を構築することができる。更に、画像形成部２２２は、スタックデータ又はボリュームデータをレンダリングすることができる。レンダリングの手法は任意であり、例えば、ボリュームレンダリング、多断面再構成（ＭＰＲ）、サーフェスレンダリングなどであってよい。また、画像形成部２２２は、スタックデータ又はボリュームデータから平面画像（例えば、正面画像）を構築することができる。例えば、画像形成部２２２は、スタックデータ又はボリュームデータを各Ａラインに沿って積算することによりプロジェクション画像を構築することができる。
【０１３０】
データ処理部２２３は、様々なデータ処理を実行可能である。データ処理部２２３は、ＯＣＴスキャンを用いて取得されたデータ（ＯＣＴデータ）を処理することができる。ＯＣＴデータは、例えば、反射強度プロファイル又は画像データである。データ処理部２２３は、前眼部観察系５により得られた画像や、Ｚアライメント系１のラインセンサー１３から出力された信号（データ）を処理することができる。データ処理部２２３は、ここに例示したデータ以外のデータを処理することも可能である。
【０１３１】
例えば、データ処理部２２３は、スタックデータ又はボリュームデータにセグメンテーションを適用することができる。セグメンテーションは、画像データ中の部分領域を特定するための公知の処理である。データ処理部２２３は、ＯＣＴ画像（２次元断層像、３次元画像など）の輝度値に基づきセグメンテーションを行う。例えば、眼底Ｅｆにおける複数の層組織はそれぞれ特徴的な反射率を有し、これら層組織の画像領域もそれぞれ特徴的な輝度値を有する。データ処理部２２３は、これら特徴的な輝度値に基づき目的の画像領域を特定するようにセグメンテーションを実行する。目的の画像領域は、例えば、内境界膜、神経繊維層、神経節細胞層、内網状層、内顆粒層、外網状層、外顆粒層、外境界膜、視細胞層、網膜色素上皮層、脈絡膜、強膜など、眼底Ｅｆの任意の組織に相当する。
【０１３２】
図６に示すように、データ処理部２２３は、第１解析部２２３１と、特徴点設定部２２３２と、評価部２２３３とを含む。前述したように、眼屈折力算出部２２１は、角膜形状測定部１０２０の一部（第２解析部）として機能する。本態様において、前眼部観察系５は、眼Ｅの第１撮影画像と第２撮影画像とを取得する。第１撮影画像と第２撮影画像とは、互いに別の画像であってもよいし、同一の画像であってもよい。
【０１３３】
第１撮影画像は、眼Ｅの特定部位（例えば、角膜頂点又は瞳孔中心）を検出するために第１解析部２２３１に提供される。角膜頂点を検出する場合、前眼部観察系５は、ＸＹアライメント系２からの光束が投射されている状態の眼Ｅを撮影することで、この光束により形成された輝点像（プルキンエ像）が描出された第１撮影画像を取得する。或いは、角膜頂点を検出する場合において、前眼部観察系５は、ケラト測定系３又は角膜トポグラフィ系からのパターン光が投射されている状態の眼Ｅを撮影することで、このパターン光により形成されたパアーン像（ケラトリング像、プラチドリング像）が描出された第１撮影画像を取得する。瞳孔中心を検出する場合、前眼部観察系５は、眼Ｅの瞳孔が描出された第１撮影画像を取得する。他の特定部位を検出する場合には、特定部位に応じた第１撮影画像が取得される。第１解析部２２３１は、第１の態様の特定部位検出部１０１０と同様のデータ処理を実行するように構成されている。
【０１３４】
ここで、角膜頂点を検出する場合、ＸＹアライメント系２と、前眼部撮影系５と、第１解析部２２３１とを含む要素群が、第１の態様の特定部位検出部１０１０として機能する。瞳孔中心を検出する場合、前眼部撮影系５と、第１解析部２２３１とを含む要素群が、第１の態様の特定部位検出部１０１０として機能する。他の特定部位を検出する場合、前眼部撮影系５と、第１解析部２２３１とを少なくとも含む要素群が、第１の態様の特定部位検出部１０１０として機能する。
【０１３５】
第２撮影画像は、眼Ｅの角膜形状を測定するために眼屈折力算出部２２１（第２解析部）に提供される。前述したように、眼屈折力算出部２２１は、ケラト測定又は角膜トポグラフィによる測定データである角膜形状データ（典型的には、角膜曲率分布データ又は角膜曲率半径分布データ）を生成する。眼屈折力算出部２２１（第２解析部）は、第１の態様の角膜形状測定部１０２０と同様のデータ処理を実行するように構成されている。本態様の前眼部観察系５及び眼屈折力算出部２２１（第２解析部）は、第１の態様の角膜形状測定部１０２０として機能する。
【０１３６】
眼屈折力算出部２２１により得られた角膜形状データは、特徴点設定部２２３２に提供される。特徴点設定部２２３２は、第１の態様の特徴点設定部１０３０として機能し、これと同様のデータ処理を実行するように構成されている。
【０１３７】
評価部２２３３は、第１解析部２２３１により検出された特定部位と、特徴点設定部２２３２により設定された特徴点とに基づいて、眼Ｅに対するオルソＫレンズの装着状態の評価を実行する。評価部２２３３は、第１の態様の評価部１０４０として機能し、これと同様のデータ処理を実行するように構成されている。
【０１３８】
本態様に係る眼科装置２０００の動作について説明する。眼科装置２０００の動作の例を図７に示す。眼科装置２０００の図示しない記憶装置には、図７に示す動作例を実現するためのソフトウェアが記憶されている。眼科装置２０００は、このソフトウェアにしたがって動作することにより、図７に示す一連の処理を実行する。
【０１３９】
（Ｓ１１：オルソＫレンズを眼から外す）
まず、評価対象のオルソＫレンズを眼Ｅから外す。
【０１４０】
（Ｓ１２：アライメント等の準備動作を行う）
次に、第１の態様のステップＳ２と同じ要領で、所定の準備動作が行われる。
【０１４１】
（Ｓ１３：角膜へのパターン光の投射を開始する）
次に、眼科装置２０００は、ケラト測定系３又は角膜トポグラフィ系によって、眼Ｅの角膜にパターン光を投射する。パターン光の投射は、少なくとも、前眼部像が取得されるまで継続される。
【０１４２】
（Ｓ１４：前眼部像をキャプチャする）
次に、眼科装置２０００は、角膜にパターン光が投射されている状態の眼Ｅの前眼部像を取得する。典型的には、眼科装置２０００は、ステップＳ１２において前眼部観察系５による前眼部の動画撮影を開始し、ステップＳ１３の後に得られたフレームをキャプチャする。
【０１４３】
取得された前眼部像は、パターン光により形成されたパターン像だけでなく、ＸＹアライメント系２からの光束の像（輝点像、プルキンエ像）を描出したものであってもよい。或いは、眼科装置２０００は、パターン像が描出された前眼部像と、輝点像が描出された前眼部像とを別々に取得してもよい。
【０１４４】
（Ｓ１５：角膜頂点を検出する）
第１解析部２２３１は、ステップＳ１４で取得された前眼部像を解析して角膜頂点を検出する。これにより、オルソＫレンズを外した後の眼Ｅの角膜頂点の位置データが得られる。つまり、オルソＫレンズにより角膜が変形された眼Ｅの角膜頂点の位置データが得られる。
【０１４５】
ＸＹアライメント系２からの光束の像（輝点像、プルキンエ像）が前眼部像に描出されている場合、第１解析部２２３１は、この輝点像のＸ座標及びＹ座標を角膜頂点の２次元位置データとして求めることができる。また、ＸＹアライメント系２からの光束の像が前眼部像に描出されている場合であって、第１の態様で説明したステレオ撮影が可能である場合、第１解析部２２３１は、互いに異なる方向から撮影された２つの前眼部像にそれぞれ描出された２つの輝点像から、角膜頂点の３次元位置データを求めることができる。一方、ＸＹアライメント系２からの光束の像が前眼部像に描出されていない場合、第１解析部２２３１は、例えば、ケラト測定系３により投影されたケラトリング像（同心円状パターン像）のうち最も径が小さいリング像の中心を角膜頂点の２次元位置データとして求めることができる。
【０１４６】
（Ｓ１６：眼の角膜形状データを生成する）
眼屈折力算出部２２１（第２解析部）は、ステップＳ１４で取得された前眼部像を解析して角膜形状データ（例えば、角膜曲率分布データ又は角膜曲率半径分布データ）を生成する。また、眼屈折力算出部２２１（第２解析部）は、角膜曲率分布データを２回積分して得られる高さ分布データを角膜形状データとして生成してもよい。高さ分布データは、例えば、所定位置（例えば、角膜頂点位置）を基準とした相対的な高さを表現したデータである。
【０１４７】
（Ｓ１７：角膜形状データからフィッティング中心を決定する）
特徴点設定部２２３２は、ステップＳ１６で取得された角膜形状データから特徴点を設定する。本動作例では、特徴点としてフィッティング中心が求められる。
【０１４８】
前述したように、フィッティング中心は、角膜形状データを近似する数式の中心（典型的には、フィッティング曲面の中心、フィッティング曲線の中心）である。この数式は、中心対称な数式であってよく、更には非球面式であってよい。この非球面式は、例えば、コーニック面の式を少なくとも含む式であってよく、更には、コーニック面の式に偶数次の多項式を加算した式であってよい。
【０１４９】
コーニック面の式に偶数次の多項式を加算した式は、典型的には、次のように表現される：z = (ch2/(1+√(1-(1+k)c2h2)) + Ah4 + Bh6 +Ch8。ここで、zはＺ軸に平行な面のサグ量、hはＸＹ面における任意方向の座標、cは曲率、kはコーニック係数、A、B及びCはそれぞれ多項式の４次、６次及び８次の項の係数である。ここで、hを（h-h0）とすれば、任意の中心位置h0に関する非球面式を表現することができる。
【０１５０】
特徴点設定部２２３２は、このような数式による非球面フィッティングを角膜形状データに適用する。この非球面フィッティングは、例えば、角膜頂点を中心とする非球面フィッティング、又は、任意中心の非球面フィッティングであってよい。
【０１５１】
本態様では眼Ｅは無乱視眼と仮定しているので、特徴点設定部２２３２は、例えば、角膜の或る経線について、２次元の中心対称な非球面フィッティングを適用し、その中心（フィッティング中心）の座標を求める。或いは、角膜形状データが３次元データである場合においては、特徴点設定部２２３２は、点対称な非球面フィッティングをこの角膜形状データに適用し、その中心（フィッティング中心）の座標を求めることができる。
【０１５２】
（Ｓ１８：角膜頂点とフィッティング中心の偏位を算出する）
評価部２２３３は、ステップＳ１５で検出された角膜頂点の位置データと、ステップＳ１７で決定されたフィッティング中心の位置データとを比較し、これらの間の偏位Δを算出する。
【０１５３】
偏位Δは、例えば、Ｘ方向の偏位ΔＸ、Ｙ方向の偏位ΔＹ、ＸＹ平面における偏位ΔＸＹ＝√（ΔＸ２＋ΔＹ２）、及び、ＸＹＺ空間における偏位ΔＸＹＺ＝√（ΔＸ２＋ΔＹ２＋ΔＺ２）のいずれかであってよい。なお、偏位Δは、ＹＺ平面における偏位ΔＹＺ、ＺＸ平面における偏位ΔＺＸ、又は、他の定義による偏位であってもよい。
【０１５４】
（Ｓ１９：偏位＞閾値？）
評価部２２３３は、ステップＳ１８で算出された偏位Δを既定の閾値と比較する。この閾値は、例えば０．５ｍｍに設定されるが、他の値に設定されてもよい。眼科装置２０００は、この比較結果を表示部２７０によって表示する。
【０１５５】
偏位Δが閾値を超えると判定された場合（Ｓ１９：Ｙｅｓ）、処理はステップＳ２０に移行する。一方、偏位Δが閾値以下であると判定された場合（Ｓ１９：Ｎｏ）、本動作例の処理は終了となる（エンド）。
【０１５６】
（Ｓ２０：オルソＫレンズの処方を見直す）
偏位Δが閾値を超えると判定された場合（Ｓ１９：Ｙｅｓ）、ユーザ（医師等）は、眼Ｅに対するオルソＫレンズの処方を見直す。例えば、ユーザは、より眼Ｅに適合するオルソＫレンズの種類を決定し、処方する。
【０１５７】
第１の態様と同様に、眼科装置２０００は、ステップＳ１９で実行された評価の結果や、ステップＳ２０でなされた処方の見直しの結果を出力、保存、記録することができる。また、図７に示すステップの順序を任意に変更することができる。
【０１５８】
本態様におけるオルソＫレンズの装着状態の評価について図８Ａ及び図８Ｂを参照しつつ説明する。ここで、図８Ａは装着状態が良好な場合に相当し、図８Ｂは不良な場合に相当する。
【０１５９】
図８Ａの符号２１００は、角膜トポグラフィにより得られた角膜曲率分布データに基づき作成されたマップ（角膜トポマップ）を示す。角膜トポマップ２１００が表現する分布は、例えば、角膜曲率分布、角膜曲率半径分布、角膜曲率分布若しくは角膜曲率半径分布に基づく屈折力分布、角膜曲率分布に基づく高さ分布、又は、他の分布であってよい。以下、角膜トポマップ２１００は角膜曲率分布を表現したマップであるとして説明するが、これ以外の分布が適用される場合においても同様の事項が成立する。
【０１６０】
符号２１１０は、角膜の所定の経線を示す。符号２１２０は、経線２１１０上における曲率分布を表すグラフである。符号２１３０は、曲率分布グラフ２１２０に非球面フィッティングを適用して決定された矯正中心（フィッティング中心）を示す。符号２２００は、前眼部像を解析して検出された角膜頂点の位置を示す。
【０１６１】
ここで、角膜頂点位置２２００は図７のステップＳ１５で取得されたデータの例であり、フィッティング中心２１２０はステップＳ１７で取得されたデータの例である。この場合、ステップＳ１８により、角膜頂点位置２２００とフィッティング中心２１３０との偏位Δ１（経線２１１０に沿った方向における偏位）が算出される。
【０１６２】
ステップＳ１９では、偏位Δ１が閾値を超えるか否か判定される。本例では、偏位Δ１は閾値以下と判定され、現在使用されているオルソＫレンズ（その装着状態）は適切であるとの評価結果が得られ、ステップＳ２０のオルソＫレンズの処方の見直しは行われない。ただし、偏位Δ１、角膜トポマップ２１００、曲率分布グラフ２１２０、他の検査データ、問診データなどを参照してユーザがオルソＫレンズの処方の見直しを行うことを妨げるものではない。
【０１６３】
一方、図８Ｂの符号２３００は、別の角膜トポマップを示す。符号２３１０は、角膜の所定の経線を示す。符号２３２０は、経線２３１０上における曲率分布を表すグラフである。符号２３３０は、曲率分布グラフ２３２０に非球面フィッティングを適用して決定された矯正中心（フィッティング中心）を示す。符号２４００は、前眼部像を解析して検出された角膜頂点の位置を示す。
【０１６４】
図８Ａに示す例と同様に、角膜頂点位置２４００は図７のステップＳ１５で取得されたデータの例であり、フィッティング中心２３２０はステップＳ１７で取得されたデータの例である。この場合、ステップＳ１８により、角膜頂点位置２４００とフィッティング中心２３３０との偏位Δ２（経線２３１０に沿った方向における偏位）が算出される。
【０１６５】
ステップＳ１９では、偏位Δ２が閾値を超えるか否か判定される。本例では、偏位Δ２は閾値を超えると判定され、現在使用されているオルソＫレンズ（その装着状態）は適切ではないとの評価結果が得られ、ステップＳ２０のオルソＫレンズの処方の見直しが行われる。ただし、ユーザは、偏位Δ２、角膜トポマップ２３００、曲率分布グラフ２３２０、他の検査データ、問診データなどを参照してオルソＫレンズの処方の見直しを行ってもよい。
【０１６６】
ここで、２つの曲率分布グラフ２１２０及び２３２０を比較すると、曲率分布グラフ２１２０では左端部の傾斜と右端部の傾斜とが概ね等しく、グラフ形状が比較的左右対称になっている一方、曲率分布グラフ２３２０においては、左端部の傾斜が右端部の傾斜よりも緩やかであり、グラフ形状が比較的左右非対称になっている。これは、図８Ａに示す例ではオルソＫレンズの中心位置と角膜頂点位置とのズレが比較的小さく、オルソＫレンズの効果が概ね期待通りに発揮されているのに対し、図８Ｂに示す例ではズレが比較的大きく、オルソＫレンズの効果が十分に得られていない。
【０１６７】
このように、図８Ａに示す例によれば、角膜頂点と矯正中心との一致度が高く、オルソＫレンズのフィッティングが良好であること、非球面形状（オルソＫレンズの形状又はその近似形状）が角膜頂点を中心に対称であり、オルソＫレンズが角膜に良くマッチしていることが分かる。更には、オルソＫレンズの中心領域のベースカーブなどの各種レンズパラメータが適切であり、狙い通りの（狙いに近い）角膜曲率分布が達成されていることが分かる。
【０１６８】
一方、図８Ｂに示す例によれば、角膜頂点と矯正中心との一致度が低く、オルソＫレンズのフィッティングが不良であり、、非球面形状が角膜頂点に対して非対称であり、オルソＫレンズが角膜にマッチしていないことが分かる。更には、オルソＫレンズの中心領域のベースカーブなどの各種レンズパラメータが適切でなく、狙い通りの角膜曲率分布が達成されていないことが分かる。これらは、夜間にオルソＫレンズがずれた可能性があることを示唆する。このズレが大きいと、視力に悪影響を及ぼすおそれがある。
【０１６９】
評価部２２３３は、これら評価指標を定量化及び／又は定性化するように構成されていてもよい。例えば、評価部２２３３は、角膜頂点と矯正中心との一致度を偏位Δの大きさに基づき定量的及び／又は定性的に表現することや、曲率分布グラフの対称度を定量的及び／又は定性的に表現することが可能である。ここで、対称度の定量化は、例えば、曲率分布グラフの左側部分の面積と右側部分の面積との差又は比を求める演算や、曲率分布グラフと対称曲線との差分の左右差を求める演算などを含んでいてよい。
【０１７０】
ステップＳ２０（オルソＫレンズの処方の見直し）においては、例えば、オルソＫレンズの各種パラメータの見直し、最適値の探索、シミュレーションなどが行われる。オルソＫレンズのパラメータとしては、レンズ全体の径、レンズ中心部のベースカーブの径、オプティカルゾーン（トリートメントゾーン）の弦（ｃｈｏｒｄ）の寸法、遷移ゾーン（リターンゾーン）の幅・深さ、ペリフェラルゾーン（ランディングゾーン）の径・角度・幅、末端部の幅、屈折力などがある。
【０１７１】
＜第３の態様＞
第３の態様に係る眼科装置について説明する。以下、特に言及しない限り、第２の態様における用語、符号等を準用する。
【０１７２】
第２の態様と同様に、本態様は、眼の角膜頂点を基準としてオルソＫレンズが処方された場合に適用される。また、第２の態様と同様に、本態様は、眼の角膜頂点を基準としてオルソＫレンズが適切に装着された場合には、オルソＫレンズを外した後の角膜頂点が変形中心（フィッティング中心等）に一致するはずであることを前提とする。
【０１７３】
一方、第２の態様と異なり、本態様では、眼に乱視があること、及び、オルソＫレンズにより変形した角膜の形状（非球面性）が非等方的であることを仮定する。ここで、眼に乱視があることは、例えば、眼の乱視度の測定値が所定閾値を超えることを意味し、そのような眼に対して本態様を適用することが可能である。
【０１７４】
本態様は、第２の態様と同様の構成及び機能を有する眼科装置によって実現可能である。ただし、第２の態様が無乱視眼を対象とするのに対し、本態様は乱視眼を対象としているため、第２の態様における図７のステップＳ１７の代わりに、例えば、以下に示す近似式（バイコーニック面の式）が角膜形状データのフィッティングに適用される。
【０１７５】
本態様において適用される近似式は、典型的には、次のように表現される：z = ((cxx2+cyy2)/(1+√(1-(1+kx)cx2x2-(1+ky)cy2y2))) + AR((1-AP)x2+(1+AP)y2)2 + BR((1-BP)x2+(1+BP)y2)3 + CR((1-CP)x2+(1+CP)y2)4。ここで、zはＺ軸に平行な面のサグ量、xはＸ座標、ｙはＹ座標、cxはＸ方向の曲率、cyはＹ方向の曲率、kxはＸ方向のコーニック係数、kyはＹ方向のコーニック係数、AR、BR及びCRはそれぞれコーニックの４次、６次及び８次の回転対称部の係数、AP、BP及びCPはそれぞれコーニックの４次、６次及び８次の非回転対称部の係数である。ここで、xを（x-x0）とし且つyを（y-y0）とすれば、任意の中心位置（x0,y0）に関する非球面式を表現することができる。なお、特殊な場合として、kx=kyとし且つcx=cyとすれば、第２の態様と同様の点対称のコーニック面の式が得られる。
【０１７６】
特徴点設定部２２３２は、このような数式による非球面フィッティングを角膜形状データに適用する。この非球面フィッティングは、例えば、角膜頂点を中心とする非球面フィッティング、又は、任意中心の非球面フィッティングであってよい。
【０１７７】
本態様では眼Ｅは乱視眼と仮定しているので、互いに異なる２つ（以上）の経線についてフィッティングが実行される。典型的には、互いに直交する２つの経線についてフィッティングが行われる。２つの経線は、典型的には、眼Ｅの乱視軸方向に沿った経線とこれに直交する経線である。すなわち、特徴点設定部２２３２は、まず、角膜の第１の経線について、２次元の中心対称な非球面フィッティングを適用し、その中心（フィッティング中心）の座標を求める。次に、特徴点設定部２２３２は、第１の経線とは異なる第２の経線について同様のフィッティングを行って、その中心（フィッティング中心）の座標を求める。或いは、角膜形状データが３次元データである場合においては、特徴点設定部２２３２は、バイコーニック面の数式によるフィッティングをこの角膜形状データに適用し、その中心（フィッティング中心）の座標を求めることができる。
【０１７８】
以上に説明した事項以外の事項については、第２の態様を本態様に適用することが可能である。
【０１７９】
＜第４の態様＞
第４の態様に係る眼科装置について説明する。以下、特に言及しない限り、第２の態様における用語、符号等を準用する。
【０１８０】
第２の態様及び第３の態様とは異なり、本態様は、眼の瞳孔を基準としてオルソＫレンズが処方された場合に適用される。本態様では、オルソＫレンズを外した後の瞳孔中心が矯正中心に一致するはずであることを前提とする。また、第２の態様と同様に、眼Ｅが無乱視眼であること、及び、オルソＫレンズにより変形した角膜の形状（非球面性）が等方的であることを仮定する。本態様は、第２の態様と同様の構成及び機能を有する眼科装置によって実現可能である。
【０１８１】
第２の態様と同様に、データ処理部２２３は、第１解析部２２３１と、特徴点設定部２２３２と、評価部２２３３とを含む（図６を参照）。また、眼屈折力算出部２２１は、角膜形状測定部１０２０の一部（第２解析部）として機能する（図６を参照）。更に、前眼部観察系５は、眼Ｅの第１撮影画像と第２撮影画像とを取得する。
【０１８２】
第１撮影画像は、眼Ｅの特定部位（本態様では瞳孔中心）を検出するために第１解析部２２３１に提供される。前眼部観察系５は、眼Ｅの瞳孔が描出された第１撮影画像を取得する。第１解析部２２３１は、例えば、前眼部観察系５により眼Ｅを正面から撮影して得られた第１撮影画像を解析して瞳孔縁を検出し、この瞳孔縁に楕円フィッティングを適用して瞳孔縁を近似する楕円を求め、この楕円の中心を求める。この楕円中心は、瞳孔中心の２次元位置データとして採用される。他の例において、第１解析部２２３１は、前眼部観察系５により眼Ｅを正面から撮影して得られた第１撮影画像を解析して瞳孔縁又は瞳孔領域を検出し、その重心を求めてもよい。この楕円重心は、楕円中心の２次元位置データとして採用される。更に他の例において、第１の態様で説明したステレオ撮影が可能である場合、第１解析部２２３１は、互いに異なる方向から撮影された２つの第１撮影画像（２つの前眼部像）に対して同様の処理を適用することで、瞳孔中心の３次元位置データを求めることができる。本態様では、前眼部撮影系５と、第１解析部２２３１とを含む要素群が、第１の態様の特定部位検出部１０１０として機能する。
【０１８３】
第２撮影画像は、眼Ｅの角膜形状を測定するために眼屈折力算出部２２１（第２解析部）に提供される。眼屈折力算出部２２１は、ケラト測定又は角膜トポグラフィによる測定データである角膜形状データ（典型的には、角膜曲率分布データ又は角膜曲率半径分布データ）を生成する。眼屈折力算出部２２１（第２解析部）は、第１の態様の角膜形状測定部１０２０と同様のデータ処理を実行するように構成されている。本態様の前眼部観察系５及び眼屈折力算出部２２１（第２解析部）は、第１の態様の角膜形状測定部１０２０として機能する。
【０１８４】
眼屈折力算出部２２１により得られた角膜形状データは、特徴点設定部２２３２に提供される。特徴点設定部２２３２は、第１の態様の特徴点設定部１０３０として機能し、これと同様のデータ処理を実行するように構成されている。なお、本態様における特徴点は、任意の矯正中心であってよく、典型的には角膜頂点の検出位置又は変形中心の推定位置である。変形中心は、典型的にはフィッティング中心である。
【０１８５】
評価部２２３３は、第１解析部２２３１により検出された瞳孔中心と、特徴点設定部２２３２により設定された特徴点（矯正中心）とに基づいて、眼Ｅに対するオルソＫレンズの装着状態の評価を実行する。評価部２２３３は、第１の態様の評価部１０４０として機能し、これと同様のデータ処理を実行するように構成されている。
【０１８６】
本態様に係る眼科装置２０００の動作について説明する。眼科装置２０００の動作の例を図９に示す。眼科装置２０００の図示しない記憶装置には、図９に示す動作例を実現するためのソフトウェアが記憶されている。眼科装置２０００は、このソフトウェアにしたがって動作することにより、図９に示す一連の処理を実行する。
【０１８７】
（Ｓ３１：オルソＫレンズを眼から外す）
まず、評価対象のオルソＫレンズを眼Ｅから外す。
【０１８８】
（Ｓ３２：アライメント等の準備動作を行う）
次に、第１の態様のステップＳ２と同じ要領で、所定の準備動作が行われる。
【０１８９】
（Ｓ３３：角膜へのパターン光の投射を開始する）
次に、眼科装置２０００は、ケラト測定系３又は角膜トポグラフィ系によって、眼Ｅの角膜にパターン光を投射する。パターン光の投射は、少なくとも、前眼部像が取得されるまで継続される。
【０１９０】
（Ｓ３４：前眼部像をキャプチャする）
次に、眼科装置２０００は、角膜にパターン光が投射されている状態の眼Ｅの前眼部像を取得する。典型的には、眼科装置２０００は、ステップＳ１２において前眼部観察系５による前眼部の動画撮影を開始し、ステップＳ３３の後に得られたフレームをキャプチャする。
【０１９１】
（Ｓ３５：瞳孔中心を検出する）
第１解析部２２３１は、ステップＳ３４で取得された前眼部像を解析して瞳孔中心を検出する。
【０１９２】
（Ｓ３６：眼の角膜形状データを生成する）
眼屈折力算出部２２１（第２解析部）は、ステップＳ３４で取得された前眼部像を解析して角膜形状データ（例えば、角膜曲率分布データ又は角膜曲率半径分布データ）を生成する。また、眼屈折力算出部２２１（第２解析部）は、角膜曲率分布データを２回積分して得られる高さ分布データを角膜形状データとして生成してもよい。
【０１９３】
（Ｓ３７：角膜形状データから矯正中心を決定する）
特徴点設定部２２３２は、ステップＳ３６で取得された角膜形状データから特徴点を設定する。本動作例では、特徴点として任意の矯正中心が求められる。矯正中心は、典型的には角膜中心又はフィッティング中心である。
【０１９４】
矯正中心として角膜中心を求める場合、特徴点設定部２２３２は、例えば、第２の態様における図７のステップＳ１５と同様の角膜中心検出処理を実行する。矯正中心としてフィッティング中心を求める場合、特徴点設定部２２３２は、例えば、第２の態様における図７のステップＳ１５と同様の非球面フィッティングを実行する。
【０１９５】
（Ｓ３８：瞳孔中心と矯正中心の偏位を算出する）
評価部２２３３は、ステップＳ３５で検出された瞳孔中心の位置データと、ステップＳ３７で決定された矯正中心の位置データとを比較し、これらの間の偏位Δを算出する。
【０１９６】
（Ｓ３９：偏位＞閾値？）
評価部２２３３は、ステップＳ３８で算出された偏位Δを既定の閾値と比較する。眼科装置２０００は、この比較結果を表示部２７０によって表示する。
【０１９７】
偏位Δが閾値を超えると判定された場合（Ｓ３９：Ｙｅｓ）、処理はステップＳ４０に移行する。一方、偏位Δが閾値以下であると判定された場合（Ｓ３９：Ｎｏ）、本動作例の処理は終了となる（エンド）。
【０１９８】
（Ｓ４０：オルソＫレンズの処方を見直す）
偏位Δが閾値を超えると判定された場合（Ｓ３９：Ｙｅｓ）、ユーザ（医師等）は、眼Ｅに対するオルソＫレンズの処方を見直す。
【０１９９】
眼科装置２０００は、ステップＳ３９で実行された評価の結果や、ステップＳ４０でなされた処方の見直しの結果を出力、保存、記録することができる。また、図９に示すステップの順序を任意に変更することができる。
【０２００】
本態様におけるオルソＫレンズの装着状態の評価について図１０Ａ及び図１０Ｂを参照しつつ説明する。ここで、図１０Ａは装着状態が良好な場合に相当し、図１０Ｂは不良な場合に相当する。
【０２０１】
図１０Ａに示す角膜トポマップ２５００は角膜曲率分布を表現したマップであるとして説明するが、他の分布が適用される場合においても同様の事項が成立する。符号２５１０は、角膜の所定の経線を示す。符号２５２０は、経線２５１０上における曲率分布を表すグラフである。符号２５３０は、曲率分布グラフ２５２０に非球面フィッティングを適用して決定された矯正中心（フィッティング中心）を示す。符号２６００は、前眼部像を解析して検出された瞳孔中心の位置を示す。
【０２０２】
ここで、瞳孔中心位置２６００は図９のステップＳ３５で取得されたデータの例であり、フィッティング中心２５２０はステップＳ３７で取得されたデータの例である。この場合、ステップＳ３８により、瞳孔中心位置２６００とフィッティング中心２５３０との偏位Δ３（経線２５１０に沿った方向における偏位）が算出される。
【０２０３】
ステップＳ３９では、偏位Δ３が閾値を超えるか否か判定される。本例では、偏位Δ３は閾値以下と判定され、現在使用されているオルソＫレンズ（その装着状態）は適切であるとの評価結果が得られ、ステップＳ４０のオルソＫレンズの処方の見直しは行われない。ただし、偏位Δ３、角膜トポマップ２５００、曲率分布グラフ２５２０、他の検査データ、問診データなどを参照してユーザがオルソＫレンズの処方の見直しを行うことを妨げるものではない。
【０２０４】
一方、図１０Ｂの符号２７００は、別の角膜トポマップを示す。符号２７１０は、角膜の所定の経線を示す。符号２７２０は、経線２７１０上における曲率分布を表すグラフである。符号２７３０は、曲率分布グラフ２７２０に非球面フィッティングを適用して決定された矯正中心（フィッティング中心）を示す。符号２８００は、前眼部像を解析して検出された瞳孔中心の位置を示す。
【０２０５】
図１０Ａに示す例と同様に、瞳孔中心位置２８００は図９のステップＳ３５で取得されたデータの例であり、フィッティング中心２７２０はステップＳ３７で取得されたデータの例である。この場合、ステップＳ３８により、瞳孔中心位置２８００とフィッティング中心２７３０との偏位Δ４（経線２７１０に沿った方向における偏位）が算出される。
【０２０６】
ステップＳ３９では、偏位Δ４が閾値を超えるか否か判定される。本例では、偏位Δ４は閾値を超えると判定され、現在使用されているオルソＫレンズ（その装着状態）は適切ではないとの評価結果が得られ、ステップＳ４０のオルソＫレンズの処方の見直しが行われる。ただし、ユーザは、偏位Δ４、角膜トポマップ２７００、曲率分布グラフ２７２０、他の検査データ、問診データなどを参照してオルソＫレンズの処方の見直しを行ってもよい。
【０２０７】
曲率分布グラフの傾斜、曲率分布グラフの対称性、評価指標の定量化及び定性化、オルソＫレンズの処方の見直しなどについては、第２の態様のそれらと同様であってよい。
【０２０８】
＜第５の態様＞
第５の態様に係る眼科装置について説明する。以下、特に言及しない限り、上記の態様における用語、符号等を準用する。
【０２０９】
第４の態様と同様に、本態様は、眼の瞳孔を基準としてオルソＫレンズが処方された場合に適用される。また、第４の態様と同様に、本態様は、眼の瞳孔中心を基準としてオルソＫレンズが適切に装着された場合には、オルソＫレンズを外した後の瞳孔中心が矯正中心（角膜中心、フィッティング中心など）に一致するはずであることを前提とする。
【０２１０】
一方、第４の態様と異なり、本態様では、眼に乱視があること、及び、オルソＫレンズにより変形した角膜の形状（非球面性）が非等方的であることを仮定する。ここで、眼に乱視があることは、例えば、眼の乱視度の測定値が所定閾値を超えることを意味し、そのような眼に対して本態様を適用することが可能である。
【０２１１】
本態様は、第４の態様と同様の構成及び機能を有する眼科装置によって実現可能である。ただし、第４の態様が無乱視眼を対象とするのに対し、本態様は乱視眼を対象としているため、第４の態様における図９のステップＳ３７の代わりに、例えば、第３の態様で説明したバイコーニック面の近似式が角膜形状データのフィッティングに適用される。すなわち、本態様の特徴点設定部２２３２は、バイコーニック面の近似式による非球面フィッティングを角膜形状データに適用する。この非球面フィッティングは、例えば、角膜頂点を中心とする非球面フィッティング、又は、任意中心の非球面フィッティングであってよい。
【０２１２】
本態様では眼Ｅは乱視眼と仮定しているので、互いに異なる２つ（以上）の経線についてフィッティングが実行される。典型的には、互いに直交する２つの経線についてフィッティングが行われる。２つの経線は、典型的には、眼Ｅの乱視軸方向に沿った経線とこれに直交する経線である。すなわち、特徴点設定部２２３２は、まず、角膜の第１の経線について、２次元の中心対称な非球面フィッティングを適用し、その中心（フィッティング中心）の座標を求める。次に、特徴点設定部２２３２は、第１の経線とは異なる第２の経線について同様のフィッティングを行って、その中心（フィッティング中心）の座標を求める。或いは、角膜形状データが３次元データである場合においては、特徴点設定部２２３２は、バイコーニック面の数式によるフィッティングをこの角膜形状データに適用し、その中心（フィッティング中心）の座標を求めることができる。
【０２１３】
以上に説明した事項以外の事項については、第４の態様を本態様に適用することが可能である。
【０２１４】
＜効果＞
以上に説明した例示的態様に係る眼科装置の幾つかの効果について説明する。
【０２１５】
例示的態様に係る眼科装置は、特定部位検出部と、角膜形状測定部と、特徴点設定部と、評価部とを含む。例えば、眼科装置１０００は、特定部位検出部１０１０と、角膜形状測定部１０２０と、特徴点設定部１０３０と、評価部１０４０とを含む。また、眼科装置２０００は、前眼部観察系５及び第１解析部２２３１を含む特定部位検出部と、前眼部観察系５及び眼屈折力算出部２２１（第２解析部）を含む角膜形状測定部と、特徴点設定部２２３２と、評価部２２３３とを含む。
【０２１６】
特定部位検出部は、オルソＫレンズを外した後の眼の特定部位を検出するように構成されている。特定部位は、例えば、角膜頂点又は瞳孔中心である。角膜形状測定部は、当該眼の角膜形状を測定するように構成されている。特徴点設定部は、角膜形状測定部によって取得された角膜形状データから特徴点を設定するように構成されている。評価部は、特定部位検出部によって検出された特定部位と、特徴点設定部によって設定された特徴点とに基づいて、当該眼に対する当該オルソＫレンズの装着状態の評価を実行するように構成されている。
【０２１７】
このような例示的態様によれば、オルソＫレンズの装着位置の適否判定を自動で行うことができる。したがって、周辺視野の屈折状態がどのようになっているか（つまり、夜間にオルソＫレンズが適切な位置に装着されていたか否か）の判断材料や、期待された屈折矯正効果が実際に得られているか否かの判断材料を、ユーザ（医師等）に提供することが可能である。
【０２１８】
例示的態様に係る眼科装置において、特徴点設定部は、中心対称な式による角膜形状データの近似式に基づいて特徴点を設定するように構成されていてもよい。この近似式は、例えば、中心対称な曲面の式又は曲線の式である。このような構成によれば、中心対称な形状のオルソＫレンズにより変形された角膜の形状に合わせて近似（フィッティング）を行うことが可能になる。
【０２１９】
例示的態様において、近似式として用いられる中心対称な式は、非球面式であってよい。すなわち、特徴点設定部は、所定の非球面式による角膜形状データの近似式に基づき特徴点を設定するように構成されていてもよい。このような構成によれば、非球面形状の部分を有するオルソＫレンズにより変形された角膜の形状に合わせてフィッティングを行うことが可能になる。
【０２２０】
例示的態様において、所定の非球面式は、コーニック面の式又はバイコーニック面の式を少なくとも含む式であってもよい。このような構成によれば、コーニック形状又はバイコーニック形状の部分を有するオルソＫレンズにより変形された角膜の形状に合わせてフィッティングを行うことが可能になる。
【０２２１】
例示的態様において、所定の非球面式は、コーニック面の式に偶数次の多項式を加算した式又はバイコーニック面の式に偶数次の多項式を加算した式であってもよい。このような非球面式を用いることで、変曲点を有する形状のオルソＫレンズにより変形された角膜の形状に対する非球面フィッティングを高い精度で行うことが可能になる。
【０２２２】
例示的態様において、所定の非球面式がコーニック面の式を少なくとも含む場合、角膜の少なくとも１つの方向（経線）に関してフィッティングを行ってもよい。すなわち、特徴点設定部は、コーニック面の式を少なくとも含む非球面式により少なくとも１方向において角膜形状データの近似を行うように構成されていてもよい。このような構成によれば、例えば無乱視眼のように角膜形状の非球面性が等方的であるである場合においては１つ（以上）の経線についてコーニック面の式によるフィッティングを好適に行うことが可能であり、また、例えば乱視眼のように角膜形状の非球面性が非等方的である場合においては２つ（以上）の経線についてコーニック面の式によるフィッティングを好適に行うことが可能である。
【０２２３】
例示的態様において、所定の非球面式がコーニック面の式を少なくとも含む場合、角膜の互いに直交する２つの方向（２つの経線）に関してそれぞれフィッティングを行ってもよい。すなわち、特徴点設定部は、コーニック面の式を少なくとも含む非球面式により互いに直交する２方向のそれぞれにおいて角膜形状データの近似を行うように構成されていてもよい。このような構成によれば、例えば乱視眼のように角膜形状の非球面性が非等方的である場合において、互いに直交する２つの経線についてコーニック面の式によるフィッティングを好適に行うことが可能である。
【０２２４】
例示的態様において、所定の非球面式がコーニック面の式を少なくとも含む場合、角膜の乱視軸方向及びこれに直交する方向に関してそれぞれフィッティングを行ってもよい。すなわち、特徴点設定部は、コーニック面の式を少なくとも含む非球面式により眼の乱視軸方向及びこれに直交する方向のそれぞれにおいて角膜形状データの近似を行うように構成されていてもよい。このような構成によれば、乱視眼に対するコーニック面の式によるフィッティングを好適に行うことが可能である。
【０２２５】
例示的態様において、所定の非球面式がバイコーニック面の式を少なくとも含む場合、３次元的なフィッティングを行ってもよい。すなわち、特徴点設定部は、バイコーニック面の式を少なくとも含む３次元非球面式により角膜形状データの近似を行うように構成されていてもよい。このような構成によれば、角膜の３次元形状に合わせてフィッティングを好適に行うことが可能である。
【０２２６】
例示的態様において、特徴点設定部は、中心対称な式による角膜形状データの近似式の中心を、角膜形状データに基づく特徴点として設定するように構成されていてもよい。このような構成によれば、中心対称な形状のオルソＫレンズにより変形された角膜の特徴点を、中心対称な式によるフィッティングに基づき好適に設定することが可能である。
【０２２７】
例示的態様において、特定部位検出部は、角膜頂点を特定部位として検出するように構成されていてもよく、且つ、評価部は、この角膜頂点と中心対称な式による近似式の中心との間の偏位に基づいて、当該眼に対するオルソＫレンズの装着状態の評価を実行するように構成されていてもよい。このような構成によれば、例えば角膜頂点を基準に処方されたオルソＫレンズの評価を好適に行うことが可能である。
【０２２８】
例示的態様において、特定部位検出部は、瞳孔中心を特定部位として検出するように構成されていてもよく、且つ、評価部は、この瞳孔中心と中心対称な式による近似式の中心との間の偏位に基づいて、当該眼に対するオルソＫレンズの装着状態の評価を実行するように構成されていてもよい。このような構成によれば、例えば瞳孔を基準に処方されたオルソＫレンズの評価を好適に行うことが可能である。
【０２２９】
例示的態様において、角膜形状測定部は、角膜の曲率分布データ又は曲率半径分布データを角膜形状データとして取得するように構成されていてもよい。このような構成によれば、ケラトメータや角膜トポグラファやＯＣＴ装置等の一般的な角膜形状測定装置により得られた角膜形状データを、オルソＫレンズの評価に利用することが可能になる。
【０２３０】
例示的態様において、角膜形状測定部は、角膜の高さ分布データを角膜形状データとして取得するように構成されていてもよい。このような構成によれば、一般的な角膜形状測定装置により得られた角膜形状データを２回積分して求められる高さ分布データを、オルソＫレンズの評価に利用することが可能になる。
【０２３１】
例示的態様は、眼を撮影する撮影部とプロセッサとを含む眼科装置を制御する方法を提供することができる。例えば、眼科装置１０００は、前眼部を撮影する撮影部（光学系、撮像素子、カメラ等）と、（１以上の）プロセッサとを含んでいる。また、眼科装置２０００は、撮影系として機能する前眼部観察系５と、プロセッサを具備したコンピュータとを含んでいる。
【０２３２】
例示的態様に係る制御方法は、第１の制御ステップにおいて、オルソＫレンズを外した後の眼の第１撮影画像及び第２撮影画像を取得するために撮影部を制御する。更に、第２の制御ステップにおいて、当該眼の特定部位を検出するために第１撮影画像を解析するようにプロセッサを制御する。また、第３の制御ステップにおいて、当該眼の角膜形状データを取得するために第２撮影画像を解析するようにプロセッサを制御する。更に、第４の制御ステップにおいて、第３の制御ステップに基づき取得された角膜形状データから特徴点を設定するようにプロセッサを制御する。加えて、第５の制御ステップにおいて、第２の制御ステップで検出された特定部位と、第４の制御ステップで設定された特徴点とに基づいて、当該眼に対するオルソＫレンズの装着状態の評価を実行するようにプロセッサを制御する。
【０２３３】
このような眼科装置の制御方法に対して、例示的態様に係る眼科装置に関して説明された事項のいずれかを組み合わせることが可能である。
【０２３４】
例示的態様に係る制御方法をコンピュータを含む眼科装置に実行させるプログラムを提供することができる。このプログラムに対して、例示的態様に係る眼科装置に関して説明された事項のいずれかを組み合わせることが可能である。
【０２３５】
このようなプログラムを記録したコンピュータ可読な非一時的記録媒体を作成することが可能である。この記録媒体に対して、例示的態様に係る眼科装置に関して説明された事項のいずれかを組み合わせることが可能である。この非一時的記録媒体は任意の形態であってよく、その例として、磁気ディスク、光ディスク、光磁気ディスク、半導体メモリなどがある。
【０２３６】
例示的態様に係る制御方法、プログラム、又は記録媒体によれば、オルソＫレンズの装着位置の適否判定を眼科装置に実行させることが可能になる。それにより、周辺視野の屈折状態がどのようになっているか（つまり、夜間にオルソＫレンズが適切な位置に装着されていたか否か）の判断材料や、期待された屈折矯正効果が実際に得られているか否かの判断材料を、眼科装置からユーザ（医師等）に直接的に又は間接的に提供することが可能になる。
【０２３７】
＜他の態様＞
上記の例示的態様では、眼を撮影する機能（撮影部）を具備した眼科装置について説明したが、実施形態はこれに限定されない。例えば、以下に説明する眼科情報処理装置は、撮影機能を有する他の眼科装置により取得された眼の画像を受けて一連の処理を実行するコンピュータである。
【０２３８】
例示的態様に係る眼科情報処理装置は、例えば、パーソナルコンピュータ、ローカルエリアネットワーク（ＬＡＮ）上に設けられたサーバ、ワイドエリアネットワーク（ＷＡＮ）上に設けられたサーバ（クラウドサーバ等）、又は、他の形態のコンピュータを含んでいてよい。
【０２３９】
例示的態様に係る眼科情報処理装置の構成を図１１に示す。眼科情報処理装置３０００は、画像受付部３０１０と、第１解析部３０２０と、第２解析部３０３０と、特徴点設定部３０４０と、評価部３０５０と、制御部３０６０とを含む。
【０２４０】
画像受付部３０１０は、他の眼科装置により眼を撮影して取得された画像を受け付ける。画像受付部３０１０は、例えば、通信デバイス及びドライブ装置のいずれかを含む。
【０２４１】
画像受付部３０１０の通信デバイスは、例えば、他の眼科装置からネットワークを介して撮影画像を受信する。或いは、画像受付部３０１０の通信デバイスは、他の眼科装置から画像アーカイビングシステムなどに保存された撮影画像をネットワークを介して受信する。
【０２４２】
画像受付部３０１０のドライブ装置は、他の眼科装置により取得されて記録媒体に記録された撮影画像を、当該記録媒体から読み出す。
【０２４３】
画像受付部３０１０は、オルソＫレンズを外した後の眼の第１撮影画像と第２撮影画像とを受け付ける。第１撮影画像及び第２撮影画像については、第２の態様のそれらと同様である。典型的には、画像受付部３０１０により受け付けられた第１撮影画像及び第２撮影画像は記憶装置（図示せず）に保存され、第１撮影画像は制御部３０６０により第１解析部３０２０に提供され、第２撮影画像は制御部３０６０により第２解析部３０３０に提供される。
【０２４４】
第１解析部３０２０は、眼科装置１０００の特定部位検出部１０１０のプロセッサと同様のデータ処理（眼科装置２０００の第１解析部２２３１と同様のデータ処理）を実行するように構成されており、第１撮影画像を解析して特定部位を検出するように機能する。
【０２４５】
第２解析部３０３０は、眼科装置１０００の角膜形状測定部１０２０のプロセッサと同様のデータ処理（眼科装置２０００の眼屈折力算出部２２１と同様のデータ処理）を実行するように構成されており、第２撮影画像を解析して角膜形状データを取得するように機能する。
【０２４６】
特徴点設定部３０４０は、眼科装置１０００の特徴点設定部１０３０と同様のデータ処理（眼科装置２０００の特徴点設定部２２３２と同様のデータ処理）を実行するように構成されており、第２解析部３０３０により取得された角膜形状データから特徴点を設定するように機能する。
【０２４７】
評価部３０５０は、眼科装置１０００の評価部１０４０と同様のデータ処理（眼科装置２０００の評価部２２３３と同様のデータ処理）を実行するように構成されており、第１解析部３０２０により検出された特定部位と特徴点設定部３０４０により設定された特徴点とに基づいて、当該眼に対する当該オルソＫレンズの装着状態の評価を実行するように機能する。
【０２４８】
制御部３０６０は、眼科情報処理装置３０００の各部を制御する。制御部３０６０は、制御プログラムにしたがって動作するプロセッサを含む。
【０２４９】
このように構成された眼科情報処理装置３０００によれば、他の眼科装置により取得された眼の撮影画像に基づいて、オルソＫレンズの装着位置の適否判定を自動で行うことができる。したがって、周辺視野の屈折状態がどのようになっているか（つまり、夜間にオルソＫレンズが適切な位置に装着されていたか否か）の判断材料や、期待された屈折矯正効果が実際に得られているか否かの判断材料を、ユーザ（医師等）に提供することが可能である。
【０２５０】
例示的態様において、眼科情報処理装置３０００をネットワーク上に設置し、複数の眼科装置からの撮影画像を処理可能に構成することができる。これにより、各眼科装置にオルソＫレンズ評価機能を設けることなく、眼科情報処理装置３０００が評価処理を集中的に（一元的に）行うことができる。この構成によれば、オルソＫレンズの装着状態の評価サービスを広く提供することが可能になる。
【０２５１】
このような眼科情報処理装置３０００に対して、例示的態様に係る眼科装置（１０００、２０００）に関して説明された事項のいずれかを組み合わせることが可能である。
【０２５２】
例示的態様は、プロセッサを含む眼科情報処理装置を制御する方法を提供することができる。例えば、眼科情報処理装置３０００は、（１以上の）プロセッサを含んでいる。眼科装置２０００のコンピュータ９も同様である。
【０２５３】
例示的態様に係る制御方法は、第１の制御ステップにおいて、眼の特定部位を検出するために、オルソＫレンズを外した後の当該眼の第１撮影画像を解析するようにプロセッサを制御する。第２の制御ステップにおいて、当該眼の角膜形状データを取得するために、当該眼の第２撮影画像を解析するようにプロセッサを制御する。第３の制御ステップにおいて、第２の制御ステップで取得された角膜形状データから特徴点を設定するようにプロセッサを制御する。第４の制御ステップにおいて、第１の制御ステップで検出された特定部位と、第３の制御ステップで設定された特徴点とに基づいて、当該眼に対する当該オルソケラトロジーレンズの装着状態の評価を実行するようにプロセッサを制御する。
【０２５４】
このような眼科情報処理装置の制御方法に対して、例示的態様に係る眼科装置に関して説明された事項のいずれかを組み合わせることが可能である。また、このような眼科情報処理装置の制御方法に対して、例示的態様に係る眼科情報処理装置に関して説明された事項のいずれかを組み合わせることが可能である。
【０２５５】
例示的態様に係る制御方法をコンピュータに実行させるプログラムを提供することができる。このプログラムに対して、例示的態様に係る眼科装置に関して説明された事項のいずれかを組み合わせることが可能である。また、このプログラムに対して、例示的態様に係る眼科情報処理装置に関して説明された事項のいずれかを組み合わせることが可能である。
【０２５６】
このようなプログラムを記録したコンピュータ可読な非一時的記録媒体を作成することが可能である。この記録媒体に対して、例示的態様に係る眼科装置に関して説明された事項のいずれかを組み合わせることが可能である。また、この記録媒体に対して、例示的態様に係る眼科情報処理装置に関して説明された事項のいずれかを組み合わせることが可能である。この非一時的記録媒体は任意の形態であってよく、その例として、磁気ディスク、光ディスク、光磁気ディスク、半導体メモリなどがある。
【０２５７】
例示的態様に係る制御方法、プログラム、又は記録媒体によれば、オルソＫレンズの装着位置の適否判定をコンピュータに実行させることが可能になる。それにより、周辺視野の屈折状態がどのようになっているか（つまり、夜間にオルソＫレンズが適切な位置に装着されていたか否か）の判断材料や、期待された屈折矯正効果が実際に得られているか否かの判断材料を、コンピュータからユーザ（医師等）に直接的に又は間接的に提供することが可能になる。
【０２５８】
以上に説明した幾つかの態様は、この発明の実施態様の例示に過ぎない。したがって、この発明の要旨の範囲内における任意の変形（省略、置換、付加等）を施すことが可能である。
【符号の説明】
【０２５９】
１０００  眼科装置
１０１０  特定部位検出部
１０２０  角膜形状測定部
１０３０  特徴点設定部
１０４０  評価部
２０００  眼科装置
５  前眼部観察系
２２１  眼屈折力算出部
２２３１  第１解析部
２２３２  特徴点設定部
２２３３  評価部
３０００  眼科情報処理装置
３０１０  画像受付部
３０２０  第１解析部
３０３０  第２解析部
３０４０  特徴点設定部
３０５０  評価部
【図１】
2020151099.tif 000003
【図２】
2020151099.tif 000004
【図３】
2020151099.tif 000005
【図４】
2020151099.tif 000006
【図５】
2020151099.tif 000007
【図６】
2020151099.tif 000008
【図７】
2020151099.tif 000009
【図８Ａ】
2020151099.tif 000010
【図８Ｂ】
2020151099.tif 000011
【図９】
2020151099.tif 000012
【図１０Ａ】
2020151099.tif 000013
【図１０Ｂ】
2020151099.tif 000014
【図１１】
2020151099.tif 000015